(57)【要約】【課題】  座金本体と内部セグメントとで構成される座金の提供。【解決手段】  座金本体と、座金本体が挿嵌されるネジ付きロッドと協働する少なくとも一つの内部セグメントとで構成され、座金本体を静止状態に維持しつつ、ロッドにナットを螺合させた際に、ロッドの共回りを内部セグメントとロッドとの間の摩擦により防止してロッドを軸方向に伸張又は弛緩させる座金。【選択図】  図１ｂ
2005201443.tif 000002
【特許請求の範囲】
【請求項１】
座金本体と、座金本体が挿嵌されるネジ付きロッドと協働する少なくとも一つの内部セグメントとで構成される座金であって、
前記の座金本体は、軸方向の一端に、前記ネジ付きロッドに螺合したナットと当接する第１支承面を備え、他端に前記ネジ付きロッドが貫通した締付け対象物体と当接する第２支承面を備え、さらに、前記内部セグメントと協働する少なくとも一つの内周面を備え、その内周面と協働する前記内部セグメントが、ロッドの非ネジ領域との間で摩擦を生じさせることで、前記ロッドのネジ領域に前記ナットを工具にて螺合させた際に、ナットと一緒にロッドが回転しようとすると、工具からの保持力が座金本体を静止状態に維持しつつ、前記内部セグメントがロッドの回転を阻止してそのロッドを軸方向に伸張又は弛緩させる座金。
【請求項２】
内部セグメントが、他の内部リクエストと置き換え可能である請求項１記載の座金
【請求項３】
ナットが螺合するロッドのネジ領域より下方のネジ領域と協働するように内部セグメントが配置された請求項１記載の座金。
【請求項４】
ナットが螺合するロッドのネジ領域より下方の非ネジ領域と協働するように内部セグメントが配置された請求項１記載の座金。
【請求項５】
内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている請求項１記載の座金。
【請求項６】
座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている請求項１記載の座金。
【請求項７】
座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている請求項１記載の座金。
【請求項８】
前記内部セグメントと前記ロッドとの間の接点を変化させて両者間で摩擦を生じさせる手段をさらに備えている請求項１記載の座金。
【請求項９】
前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる請求項８記載の座金。
【請求項１０】
ロッドに座金を着脱する際に、前記内部セグメントとロッドとの間の接点が減少するように、前記の可動部材が形成されている請求項９記載の座金。
【請求項１１】
前記の可動部材が前記座金本体の第１支承面より突出し、その第１支承面の上でナットを締め付けると、可動部材が内部セグメントに向かって内側に押し付けられる請求項９記載の座金。
【請求項１２】
前記座金本体が保持力を受ける側面を備え，その側面を越えて前記可動部材を突出させ、保持力を付与した際に、可動部材が内部セグメントに向かって内側に押し付けられる請求項９記載の座金。
【請求項１３】
前記の可動部材が前記座金本体の第２支承面より突出し、ナットを締め付けて座金本体を対象物体に押し付けると、可動部材が内部セグメントに向かって内側に押し付けられる請求項９記載の座金。
【請求項１４】
接点を変化させる手段が少なくとも一つのスプリングを含む請求項８記載の座金。
【請求項１５】
接点を変化させる手段が、座金本体と内部セグメントの間に位置する少なくとも一つのスプリングを備えた請求項８記載の座金。
【請求項１６】
接点を変化させる手段が、座金本体の内周面に設けた少なくとも一つの障害物を備え、前記内周面に関して内部セグメントが前記障害物によって自由に回転できない請求項８記載の座金。
【請求項１７】
接点を変化させる手段が、内部セグメントの軸方向への自由移動を阻止するように形成されている請求項８記載の座金。
【請求項１８】
接点を変化させる手段が、ロッドの伸張に伴って摩擦を増大させるように形成されている請求項８記載の座金。
【請求項１９】
接点を変化させる手段が、ロッドの弛緩に伴って摩擦を減少させるように形成されている請求項８記載の座金。
【請求項２０】
接点を変化させる手段が、接点を変更するための切替装置を含む請求項８記載の座金。
【請求項２１】
接点を変化させる手段が、座金本体と内部セグメントとの間の接続手段を備え、その接続手段が含み、内部セグメントとロッドとの間に摩擦を生じさせる請求項８記載の座金。
【請求項２２】
座金本体の内周面が、その軸に関して非円形状を呈し、内部セグメントがロッドと共に回転しようとすると、内部セグメントが前記非円形内周面とロッドとの間で楔どめとなる請求項１記載の座金。
【請求項２３】
座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる請求項１記載の座金。
【請求項２４】
座金本体の内周面が、内部セグメントを座金本体に関して回転させないように形成されている請求項１記載の座金。
【請求項２５】
内部セグメントが、座金本体の内周面とロッドとに当接するようスプリングで付勢されている請求項１記載の座金。
【請求項２６】
接点を変化させる手段が、手動で係合可能な請求項８記載の座金。
【請求項２７】
接点を変化させる手段が、内部セグメントを座金本体に関して回転させないように形成されている請求項８記載の座金。
【請求項２８】
接点を変化させる手段が、内部セグメントとの間で摩擦が生ずるように形成されている請求項８記載の座金。
【請求項２９】
接点を変化させる手段が、内部セグメントをロッドに押し付けて両者を楔どめできるよう形成されている請求項８記載の座金。
【請求項３０】
可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする請求項９記載の座金。
【請求項３１】
座金本体が、ナットに回転力を与える工具からの保持力を受ける面を具備している請求項１記載の座金。
【請求項３２】
座金本体の第２支承面が、大きな摩擦抵抗を有している請求項１記載の座金。
【請求項３３】
座金本体の第１支承面の摩擦抵抗が小さい請求項１記載の座金。
【請求項３４】
締付け対象物体の一方の面に一端が接合され、他端が締付け対象物の他方の面に向かった延び、しかも少なくとも一つのネジ領域を備えたロッドと、このロッドのネジ領域に螺合するナットと、座金とで構成される締め具であって、締め具の座金が、座金本体と、座金本体が挿嵌されるネジ付きロッドと協働する少なくとも一つの内部セグメントからなり、座金本体は、軸方向の一端に、ナットと当接する第１支承面を、他端に締付け対象物体と当接する第２支承面をそれそれ備え、さらに、前記内部セグメントと協働する少なくとも一つの内周面とを備え、その内周面と協働する内部セグメントが、ロッドの非ネジ領域との間で摩擦を生じさせることで、ロッドのネジ領域にナットを工具にて螺合させた際に、ナットと一緒にロッドが回転しようとすると、前記工具からの保持力が座金本体を静止状態に維持しつつ、前記内部セグメントがロッドの回転を阻止してロッドを軸方向に伸張又は弛緩させる締め具。
【請求項３５】
内部セグメントが、他の内部リクエストと置き換え可能である請求項３４記載の締め具。
【請求項３６】
ナットが螺合するロッドのネジ領域より下方のネジ領域と協働するように内部セグメントが配置された請求項３４記載の締め具。
【請求項３７】
ナットが螺合するロッドのネジ領域より下方の非ネジ領域と協働するように内部セグメントが配置された請求項３４記載の締め具。
【請求項３８】
内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている請求項３４記載の締め具。
【請求項３９】
座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている請求項３４記載の締め具。
【請求項４０】
座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている請求項３４記載の締め具。
【請求項４１】
前記内部セグメントと前記ロッドとの間の接点を変化させて両者間で摩擦を生じさせる手段をさらに備えている請求項３４記載の締め具。
【請求項４２】
前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる請求項４１記載の締め具。
【請求項４３】
ロッドに座金を着脱する際に、内部セグメントとロッドとの間の接点が減少するように、前記の可動部材が形成されている請求項４２記載の締め具。
【請求項４４】
前記の可動部材が前記座金本体の第１支承面より突出し、その第１支承面の上でナットを締め付けると、可動部材が内部セグメントに向かって内側に押し付けられる請求項４２記載の締め具。
【請求項４５】
座金本体が保持力を受ける側面を備え，その側面を越えて前記可動部材を突出させ、保持力を付与した際に、可動部材が内部セグメントに向かって内側に押し付けられる請求項４２記載の締め具。
【請求項４６】
前記の可動部材が座金本体の第２支承面より突出し、ナットを締め付けて座金本体を対象物体に押し付けると、可動部材が内部セグメントに向かって内側に押し付けられる請求項４２記載の締め具。
【請求項４７】
接点を変化させる手段が少なくとも一つのスプリングを含む請求項４１記載の締め具。
【請求項４８】
接点を変化させる手段が、座金本体と内部セグメントの間に位置する少なくとも一つのスプリングを備えた請求項４１記載の締め具。
【請求項４９】
接点を変化させる手段が、座金本体の内周面に設けた少なくとも一つの障害物を備え、前記内周面に関して内部セグメントが前記障害物によって自由に回転できない請求項４１記載の締め具。
【請求項５０】
接点を変化させる手段が、内部セグメントの軸方向への自由移動を阻止するように形成されている請求項４１記載の締め具。
【請求項５１】
接点を変化させる手段が、ロッドの伸張に伴って摩擦を増大させるように形成されている請求項４１記載の締め具。
【請求項５２】
接点を変化させる手段が、ロッドの弛緩に伴って摩擦を減少させるように形成されている請求項４１記載の締め具。
【請求項５３】
接点を変化させる手段が、接点を変更するための切替装置を含む請求項４１記載の締め具。
【請求項５４】
接点を変化させる手段が、座金本体と内部セグメントとの間の接続手段を備え、その接続手段が含み、内部セグメントとロッドとの間に摩擦を生じさせる請求項４１記載の締め具。
【請求項５５】
座金本体の内周面が、その軸に関して非円形状を呈し、内部セグメントがロッドと共に回転しようとすると、内部セグメントが前記非円形内周面とロッドとの間で楔どめとなる請求項３４記載の締め具。
【請求項５６】
座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる請求項３４記載の締め具。
【請求項５７】
座金本体の内周面が、内部セグメントを座金本体に関して回転させないように形成されている請求項３４記載の締め具。
【請求項５８】
内部セグメントが、座金本体の内周面とロッドとに当接するようスプリングで付勢されている請求項３４記載の締め具。
【請求項５９】
接点を変化させる手段が、手動で係合可能な請求項３４記載の締め具。
【請求項６０】
接点を変化させる手段が、内部セグメントを座金本体に関して回転させないように形成されている請求項４１記載の締め具。
【請求項６１】
接点を変化させる手段が、内部セグメントとの間で摩擦が生ずるように形成されている請求項４１記載の締め具。
【請求項６２】
接点を変化させる手段が、内部セグメントをロッドに押し付けて両者を楔どめできるよう形成されている請求項４１記載の締め具。
【請求項６３】
可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする請求項４２記載の締め具。
【請求項６４】
座金本体が、ナットに回転力を与える工具からの保持力を受ける面を具備している請求項４２記載の締め具。
【請求項６５】
座金本体の第２支承面が、大きな摩擦抵抗を有している請求項４２記載の締め具。
【請求項６６】
座金本体の第１支承面の摩擦抵抗が、第２支承面のそれに比較して小さい請求項３４記載の締め具。
【請求項６７】
ネジ付きロッドと、ロッドのネジ領域に螺合可能なナットと、そのロッドに挿嵌される座金で構成される締め具にて、対象物体を締め付ける方法において、
ナットが螺合可能なネジ領域を少なくとも一端に備えたロッドを、前記の対象物体に挿通させる工程と、そのロッドのネジ領域側に座金を挿嵌する工程と、ロッドのネジ領域にナットを取り付ける工程と、工具にてナットを回転させる工程とを包含し、ロッドに挿嵌する座金として、座金本体と少なくとも一つの内部セグメントから構成される座金であって、その座金本体が軸方向の一端に、ロッドに螺合したナットと当接する第１支承面を、他端に締付け対象物体と当接する第２支承面をそれそれ備え、さらに前記内部セグメントと協働する少なくとも一つの内周面を備え、その内周面と協働する内部セグメントが、ロッドの非ネジ領域との間で摩擦を生じさせる座金を使用し、ロッドに取り付けたナットを工具にて回転させた際に、ナットと一緒にロッドが回転しようとすると、工具からの保持力が座金本体を静止状態に保持しつつ、内部セグメントがロッドの回転を阻止し、ナットのさらなる回転でロッドを軸方向に伸張又は弛緩させることを特徴とする前記の締め付け方法。
【請求項６８】
内部セグメントが、他の内部リクエストと置き換え可能である請求項６７記載の締め付け方法。
【請求項６９】
ナットが螺合するロッドのネジ領域より下方のネジ領域と協働するように内部セグメントが配置された請求項６７記載の締め付け方法。
【請求項７０】
ナットが螺合するロッドのネジ領域より下方の非ネジ領域と協働するように内部セグメントが配置された請求項６７記載の締め付け方法。
【請求項７１】
内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている請求項６７記載の締め付け方法。
【請求項７２】
座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている請求項６７記載の締め付け方法。
【請求項７３】
座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている請求項６７記載の締め付け方法。
【請求項７４】
前記内部セグメントと前記ロッドとの間の接点を変化させて両者間で摩擦を生じさせる手段をさらに備えている請求項６７記載の締め付け方法。
【請求項７５】
前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる請求項７４記載の締め付け方法。
【請求項７６】
ロッドに座金を着脱する際に、前記内部セグメントとロッドとの間の接点が減少するように、前記の可動部材が形成されている請求項７５記載の締め付け方法。
【請求項７７】
前記の可動部材が前記座金本体の第１支承面より突出し、その第１支承面の上でナットを締め付けると、可動部材が内部セグメントに向かって内側に押し付けられる請求項７５記載の締め付け方法。
【請求項７８】
前記座金本体が保持力を受ける側面を備え，その側面を越えて前記可動部材を突出させ、保持力を付与した際に、可動部材が内部セグメントに向かって内側に押し付けられる請求項７５記載の締め付け方法。
【請求項７９】
前記の可動部材が前記座金本体の第２支承面より突出し、ナットを締め付けて座金本体を対象物体に押し付けると、可動部材が内部セグメントに向かって内側に押し付けられる請求項７５記載の締め付け方法。
【請求項８０】
接点を変化させる手段が少なくとも一つのスプリングを含む請求項７４記載の締め付け方法。
【請求項８１】
接点を変化させる手段が、座金本体と内部セグメントの間に位置する少なくとも一つのスプリングを備えた請求項７４記載の締め付け方法。
【請求項８２】
接点を変化させる手段が、座金本体の内周面に設けた少なくとも一つの障害物を備え、前記内周面に関して内部セグメントが前記障害物によって自由に回転できない請求項７４記載の締め付け方法。
【請求項８３】
接点を変化させる手段が、内部セグメントの軸方向への自由移動を阻止するように形成されている請求項７４記載の締め付け方法。
【請求項８４】
接点を変化させる手段が、ロッドの伸張に伴って摩擦を増大させるように形成されている請求項７４記載の締め付け方法。
【請求項８５】
接点を変化させる手段が、ロッドの弛緩に伴って摩擦を減少させるように形成されている請求項７４記載の締め付け方法。
【請求項８６】
接点を変化させる手段が、接点を変更するための切替装置を含む請求項７４記載の締め付け方法。
【請求項８７】
接点を変化させる手段が、座金本体と内部セグメントとの間の接続手段を備え、その接続手段が含み、内部セグメントとロッドとの間に摩擦を生じさせる請求項７４記載の締め付け方法。
【請求項８８】
座金本体の内周面が、その軸に関して非円形状を呈し、内部セグメントがロッドと共に回転しようとすると、内部セグメントが前記非円形内周面とロッドとの間で楔どめとなる請求項６７記載の締め付け方法。
【請求項８９】
座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる請求項６７記載の締め付け方法。
【請求項９０】
座金本体の内周面が、内部セグメントを座金本体に関して回転させないように形成されている請求項６７記載の締め付け方法。
【請求項９１】
内部セグメントが、座金本体の内周面とロッドとに当接するようスプリングで付勢されている請求項６７記載の締め付け方法。
【請求項９２】
接点を変化させる手段が、手動で係合可能な請求項７４記載の締め付け方法。
【請求項９３】
接点を変化させる手段が、内部セグメントを座金本体に関して回転させないように形成されている請求項７４記載の締め付け方法。
【請求項９４】
接点を変化させる手段が、内部セグメントとの間で摩擦が生ずるように形成されている請求項７４記載の締め付け方法。
【請求項９５】
接点を変化させる手段が、内部セグメントをロッドに押し付けて両者を楔どめできるよう形成されている請求項７４記載の締め付け方法。
【請求項９６】
可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする請求項７５記載の締め付け方法。
【請求項９７】
座金本体が、ナットに回転力を与える工具からの保持力を受ける面を具備している請求項６７記載の締め付け方法。
【請求項９８】
座金本体の第２支承面が、大きな摩擦抵抗を有している請求項６７記載の締め付け方法。
【請求項９９】
座金本体の第１支承面の摩擦抵抗が、第２支承面のそれに比較して小さい請求項６７記載の締め付け方法。
【請求項１００】
締め具部分と工具部分とからなる動力工具であって、締め具部分が、ネジ付きロッドと、そのロッドに螺合可能なナットと、ロッドに挿嵌される座金とで構成され、前記ロッドの一端は、緊締又は弛緩の対象となる静止物体の一方の面に接合され、ネジ領域を持つ他端は、静止物体の他方の面に延出し、ロッドに挿嵌される座金は、座金本体とその内周面と協働する内部セグメントとから構成され、座金本体は軸方向一端に、ロッドに螺合されたナットと当接する第１支承面を備え、他端に静止物体と当接する第２支承面を備え、座金本体の内周面と協働する内部セグメントは、ロッドの非ネジ領域との間で摩擦を発生させ、前記工具部分が、前記締め具部分のナットを最小の回転抵抗でさせつつ、前記締め具の座金本体を最大の回転抵抗で無回転に保持するところの、向きが逆の二つの同等な回転力を提供できる動力工具。
【請求項１０１】
内部セグメントが、他の内部リクエストと置き換え可能である請求項１００記載の動力工具
【請求項１０２】
ナットが螺合するロッドのネジ領域より下方のネジ領域と協働するように内部セグメントが配置された請求項１００記載の動力工具。
【請求項１０３】
ナットが螺合するロッドのネジ領域より下方の非ネジ領域と協働するように内部セグメントが配置された請求項１００記載の動力工具。
【請求項１０４】
内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている請求項１００記載の動力工具。
【請求項１０５】
座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている請求項１００記載の動力工具。
【請求項１０６】
座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている請求項１００記載の動力工具。
【請求項１０７】
前記内部セグメントと前記ロッドとの間の接点を変化させて両者間で摩擦を生じさせる手段をさらに備えている請求項１００記載の動力工具。
【請求項１０８】
前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる請求項１００記載の動力工具。
【請求項１０９】
ロッドに座金を着脱する際に、前記内部セグメントとロッドとの間の接点が減少するように、前記の可動部材が形成されている請求項１０８記載の動力工具。
【請求項１１０】
前記の可動部材が前記座金本体の第１支承面より突出し、その第１支承面の上でナットを締め付けると、可動部材が内部セグメントに向かって内側に押し付けられる請求項１０８記載の動力工具。
【請求項１１１】
前記座金本体が保持力を受ける側面を備え，その側面を越えて前記可動部材を突出させ、保持力を付与した際に、可動部材が内部セグメントに向かって内側に押し付けられる請求項１０８記載の動力工具。
【請求項１１２】
前記の可動部材が前記座金本体の第２支承面より突出し、ナットを締め付けて座金本体を対象物体に押し付けると、可動部材が内部セグメントに向かって内側に押し付けられる請求項１０８記載の動力工具。
【請求項１１３】
接点を変化させる手段が少なくとも一つのスプリングを含む請求項１０７記載の動力工具。
【請求項１１４】
接点を変化させる手段が、座金本体と内部セグメントの間に位置する少なくとも一つのスプリングを備えた請求項１０７記載の動力工具。
【請求項１１５】
接点を変化させる手段が、座金本体の内周面に設けた少なくとも一つの障害物を備え、前記内周面に関して内部セグメントが前記障害物によって自由に回転できない請求項１０７記載の動力工具。
【請求項１１６】
接点を変化させる手段が、内部セグメントの軸方向への自由移動を阻止するように形成されている請求項１０７記載の動力工具。
【請求項１１７】
接点を変化させる手段が、ロッドの伸張に伴って摩擦を増大させるように形成されている請求項１０７記載の動力工具。
【請求項１１８】
接点を変化させる手段が、ロッドの弛緩に伴って摩擦を減少させるように形成されている請求項１０７記載の動力工具。
【請求項１１９】
接点を変化させる手段が、接点を変更するための切替装置を含む請求項１０７記載の動力工具。
【請求項１２０】
接点を変化させる手段が、座金本体と内部セグメントとの間の接続手段を備え、その接続手段が含み、内部セグメントとロッドとの間に摩擦を生じさせる請求項１０７記載の動力工具。
【請求項１２１】
座金本体の内周面が、その軸に関して非円形状を呈し、内部セグメントがロッドと共に回転しようとすると、内部セグメントが前記非円形内周面とロッドとの間で楔どめとなる請求項１００記載の動力工具。
【請求項１２２】
座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる請求項１００記載の動力工具。
【請求項１２３】
座金本体の内周面が、内部セグメントを座金本体に関して回転させないように形成されている請求項１００記載の動力工具。
【請求項１２４】
内部セグメントが、座金本体の内周面とロッドとに当接するようスプリングで付勢されている請求項１００記載の動力工具。
【請求項１２５】
接点を変化させる手段が、手動で係合可能な請求項１０７記載の動力工具。
【請求項１２６】
接点を変化させる手段が、内部セグメントを座金本体に関して回転させないように形成されている請求項１０７記載の動力工具。
【請求項１２７】
接点を変化させる手段が、内部セグメントとの間で摩擦が生ずるように形成されている請求項１０７記載の動力工具。
【請求項１２８】
接点を変化させる手段が、内部セグメントをロッドに押し付けて両者を楔どめできるよう形成されている請求項１０８記載の動力工具。
【請求項１２９】
可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする請求項１００記載の動力工具。
【請求項１３０】
座金本体が、ナットに回転力を与える工具からの保持力を受ける面を具備している請求項１００記載の動力工具。
【請求項１３１】
座金本体の第２支承面が、大きな摩擦抵抗を有している請求項１００記載の動力工具。
【請求項１３２】
座金本体の第１支承面の摩擦抵抗が、第２支承面のそれに比較して小さい請求項１００記載の動力工具。
【請求項１３３】
締め具部分と工具部分とからなる動力工具であって、締め具部分が、ネジ付きロッドと、そのロッドのネジ領域に螺合可能なナットと、ロッドに挿嵌される座金とで構成され、前記ロッドはその一端が、緊締又は弛緩の対象となる静止物体の一方の面に接合され、ネジ領域を持つロッドの他端は、前記静止物体の他方の面に延出し、前記座金は、座金本体とその内周面と協働する少なくとも一つの内部セグメントと、座金本体の輪郭を超えて外側に延出し、押し付けられた時に内部セグメントとロッドとの間で摩擦を発生させる押し込み手段とで構成され、座金本体は軸方向一端に、ロッドに螺合されたナットと当接する第１支承面を備え、他端に前記対象物体と当接する第２支承面を備え、前記工具部分が、押し込み手段を押圧する力を提供し、さらに、前記締め具部分のナットを最小の回転抵抗で回転させつつ、座金本体を最大の回転抵抗で無回転に保持するところの、向きが逆の二つの同等な回転力を提供する動力工具。
【請求項１３４】
内部セグメントが、他の内部リクエストと置き換え可能である請求項１記載の動力工具。
【請求項１３５】
ナットが螺合するロッドのネジ領域より下方のネジ領域と協働するように内部セグメントが配置された請求項１３３記載の動力工具。
【請求項１３６】
ナットが螺合するロッドのネジ領域より下方の非ネジ領域と協働するように内部セグメントが配置された請求項１３３記載の動力工具。
【請求項１３７】
内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている請求項１３３記載の動力工具。
【請求項１３８】
座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている請求項１３３記載の動力工具。
【請求項１３９】
座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている請求項１３３記載の動力工具。
【請求項１４０】
前記手段が、内部セグメントと前記ロッドとの間の接点を変化させる請求項１３３記載の動力工具。
【請求項１４１】
前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる請求項１３３記載の動力工具。
【請求項１４２】
ロッドに座金を着脱する際に、前記内部セグメントとロッドとの間の接点が減少するように、前記の可動部材が形成されている請求項１４１記載の動力工具。
【請求項１４３】
前記の可動部材が前記座金本体の第１支承面より突出し、その第１支承面の上でナットを締め付けると、可動部材が内部セグメントに向かって内側に押し付けられる請求項１４１記載の動力工具。
【請求項１４４】
前記座金本体が保持力を受ける側面を備え，その側面を越えて前記可動部材を突出させ、保持力を付与した際に、可動部材が内部セグメントに向かって内側に押し付けられる請求項１４１記載の動力工具。
【請求項１４５】
前記の可動部材が前記座金本体の第２支承面より突出し、ナットを締め付けて座金本体を対象物体に押し付けると、可動部材が内部セグメントに向かって内側に押し付けられる請求項１４１記載の動力工具。
【請求項１４６】
接点を変化させる手段が少なくとも一つのスプリングを含む請求項１３３記載の動力工具。
【請求項１４７】
接点を変化させる手段が、座金本体と内部セグメントの間に位置する少なくとも一つのスプリングを備えた請求項１３３記載の動力工具。
【請求項１４８】
接点を変化させる手段が、座金本体の内周面に設けた少なくとも一つの障害物を備え、前記内周面に関して内部セグメントが前記障害物によって自由に回転できない請求項１３３記載の動力工具。
【請求項１４９】
接点を変化させる手段が、内部セグメントの軸方向への自由移動を阻止するように形成されている請求項１３３記載の動力工具。
【請求項１５０】
接点を変化させる手段が、ロッドの伸張に伴って摩擦を増大させるように形成されている請求項１３３記載の動力工具。
【請求項１５１】
接点を変化させる手段が、ロッドの弛緩に伴って摩擦を減少させるように形成されている請求項１３３記載の動力工具。
【請求項１５２】
接点を変化させる手段が、接点を変更するための切替装置を含む請求項１３３記載の動力工具。
【請求項１５３】
接点を変化させる手段が、座金本体と内部セグメントとの間の接続手段を備え、その接続手段が含み、内部セグメントとロッドとの間に摩擦を生じさせる請求項１３３記載の動力工具。
【請求項１５４】
座金本体の内周面が、その軸に関して非円形状を呈し、内部セグメントがロッドと共に回転しようとすると、内部セグメントが前記非円形内周面とロッドとの間で楔どめとなる請求項１３３記載の動力工具。
【請求項１５５】
座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる請求項１３３記載の動力工具。
【請求項１５６】
座金本体の内周面が、内部セグメントを座金本体に関して回転させないように形成されている請求項１３３記載の動力工具。
【請求項１５７】
内部セグメントが、座金本体の内周面とロッドとに当接するようスプリングで付勢されている請求項１３３記載の動力工具。
【請求項１５８】
接点を変化させる手段が、手動で係合可能な請求項１３３記載の動力工具。
【請求項１５９】
接点を変化させる手段が、内部セグメントを座金本体に関して回転させないように形成されている請求項１３３記載の動力工具。
【請求項１６０】
接点を変化させる手段が、内部セグメントとの間で摩擦が生ずるように形成されている請求項１３３記載の動力工具。
【請求項１６１】
内部セグメントとロッドとの接点を変化させる手段が、内部セグメントをロッドに押し付けて両者を楔どめできるよう形成されている請求項１３３記載の動力工具。
【請求項１６２】
可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする請求項１３３記載の動力工具。
【請求項１６３】
座金本体が、ナットに回転力を与える工具からの保持力を受ける面を具備している請求項１３３記載の動力工具。
【請求項１６４】
座金本体の第２支承面が、大きな摩擦抵抗を有している請求項１３３記載の動力工具。
【請求項１６５】
座金本体の第１支承面の摩擦抵抗が、第２支承面のそれにより小さい請求項１３３記載の動力工具。
【発明の詳細な説明】
【技術分野】
【０００１】
本発明は、物品の締付けに使用する留め具の座金と、その座金を備えた留め具にて物品を締付ける方法並びに締付けよう動力工具とに関する。
【背景技術】
【０００２】
インナースリーブとアウタスリーブと座金とを備えたリプレースメントナットを持つ留め具と、その留め具に作用する動力工具を使用して、二つの物品を互いに締付けることは、よく知られている。上記したリプレースメントナットの一つは、例えば、米国特許第5,341,560号に記載されている。別のリプレースメントナットを持つ留め具は、米国特許第6,254,323号に記載されており、その留め具でのボルトは、上側ネジの下にスプラインを備え持つと共に、反力を受けるための係合手段を備え、前記スプラインには座金が非回転で取り付けられる。工具の作用力（回転力）は、ボルトのネジ部及び座金面上のナットを回転させる。上記２つの米国特許に記載された留め具に共通する特徴は、工具の作用力と反力を利用すること、工具に反力アームを必要としないこと、ボルトの捩れなしにトルクをボルトの伸張に変換していること、実際の摩擦よりも計算された摩擦で見積もられるトルクよりも、あるいは、伸長したボルトから手締めされたボルトに力が伝達された時に見積もられるボルト弛緩に基づく伸張よりも、所望の残留ボルト荷重を得ることができることなどである。
【０００３】
同様な特徴を有する留め具は、米国特許出願番号10/010,377号、同10/112,101号、同10/120,343号及び同10/427,103号などにも記載されている。これらの特許文献に記載されている座金は、第３の回転抵抗面を持ち、この抵抗面はボルトのネジ部に作用する。今のところ、ボルトは、ナットと係合するだけのネジ部を持ち、その下部は円筒形であり、上記特許文献に記載されている座金も、この可能性をカバーしていない。従って、座金全体を交換する代わりに、座金のセグメントを交換するだけで、ナット用のねじ部を持ち、その下部が円筒形であるボルトすべてに適合する座金や、そうした座金付き留め具などの提供は、極めて有益である。
【発明の開示】
【発明が解決しようとする課題】
【０００４】
従って、本発明の目的の一つは、先に提案されている座金をさらに改良した座金と、その座金を備えた留め具などを提供することにある。
【課題を解決するための手段】
【０００５】
本発明の一つは、座金に関するものであって、その座金は、座金本体と、座金本体が挿嵌されるネジ付きロッドと協働する少なくとも一つの内部セグメントからなり、前記の座金本体は、軸方向の一端にナットと当接する第１支承面を、他端に締付け対象物体と当接する第２支承面とをそれぞれ備え、さらに、前記内部セグメントと協働する少なくとも一つの内周面を備え、その内周面と協働する内部セグメントが、ロッドの非ネジ領域との間で摩擦を生じさせることで、ロッドのネジ領域にナットを工具で螺合させた際に、ナットと一緒にロッドが回転しようとすると、前記工具からの保持力が座金本体を静止状態に維持しつつ、前記内部セグメントがロッドの回転を阻止してロッドを軸方向に伸張又は弛緩させる。
【０００６】
本発明はまた、締め具を提供するものでもあって、その締め具は、締付け対象物体の一方の面に一端が接合され、他端が締付け対象物の他方の面に向かった延び、しかも少なくとも一つのネジ領域を備えたロッドと、このロッドのネジ領域に螺合するナットと、座金とで構成される締め具において、前記の座金が、座金本体と、座金本体が挿嵌されるネジ付きロッドと協働する少なくとも一つの内部セグメントからなり、座金本体は、軸方向の一端に、ナットと当接する第１支承面を、他端に締付け対象物体と当接する第２支承面をそれそれ備え、さらに、前記内部セグメントと協働する少なくとも一つの内周面とを備え、その内周面と協働する内部セグメントが、ロッドの非ネジ領域との間で摩擦を生じさせることで、ロッドのネジ領域にナットを工具にて螺合させた際に、ナットと一緒にロッドが回転しようとすると、前記工具からの保持力が座金本体を静止状態に維持しつつ、前記内部セグメントがロッドの回転を阻止してロッドを軸方向に伸張又は弛緩させるように作用すること特徴とする。
【０００７】
さらに、本発明は、ロッドとナットと座金で構成される締め具にて、物体を緊締又は弛緩する方法を提供するものであって、その方法は、ナットが螺合可能なネジ領域を少なくとも一端に備えたロッドを、前記の物体に挿通させる工程と、そのロッドのネジ領域側に座金を挿嵌する工程と、ロッドのネジ領域にナットを取り付ける工程と、工具にてナットを回転させる工程とを包含し、
ロッドに挿嵌される座金として、座金本体と少なくとも一つの内部セグメントから構成される座金であって、その座金本体が軸方向の一端に、ロッドに螺合したナットと当接する第１支承面を、他端に締付け対象物体と当接する第２支承面をそれそれ備え、さらに前記内部セグメントと協働する少なくとも一つの内周面を備え、その内周面と協働する内部セグメントが、ロッドの非ネジ領域との間で摩擦を生じさせる座金を使用し、
ロッドに取り付けたナットを工具にて回転させた際に、ナットと一緒にロッドが回転しようとすると、工具からの保持力が座金本体を静止状態に保持しつつ、内部セグメントがロッドの回転を阻止し、ナットのさらなる回転でロッドを軸方向に伸張又は弛緩させることを特徴とする。
【０００８】
本発明はまた、動力工具を提案するものでもあって、その動力工具は、締め具部分と工具部分とからなる。前記の締め具部分は、ネジ付きロッドと、そのロッドに螺合可能はナットと、ロッドに挿嵌される座金で構成され、前記ロッドはその一端が、緊締又は弛緩の対象となる静止物体の一方の面に接合され、ネジ領域を持つロッド他端は、前記静止物体の他方の面に延びている。前記ナットは、前記ロッドのネジ領域に螺合可能である。前記座金は、座金本体と、当該本体の内周面と協働する内部セグメントとを持つ。この座金本体は、軸方向の一端に、ロッドのネジ領域に螺合されたナットと当接する第１支承面を、他端に前記対象物体と当接する第２支承面とをそれぞれ備え、さらに、前記内部セグメントと協働する少なくとも一つの内周面を備え、その内周面と協働する内部セグメントは、ロッドの非ネジ領域との間で摩擦を生じさせるように機能する。
動力工具の工具部分は、前記締め具部分の一部を最小の回転抵抗で回転させ、前記締め具部分の他の部分を最大の回転抵抗で無回転に保持できるところの、逆向きの二つの等しい回転力を発現する手段を備えている。そして、前記した一方の回転力が締め具部分のナットを回転させ、他方の回転力が締め具部分の座金本体に掛かって対象物体との摩擦が増大すると、座金本体を静止状態に保持し、内部セグメントがロッドの回転を阻止し、さらなるナットの回転がロッドを軸方向に伸張又は弛緩させる。
【０００９】
本発明が提案する動力工具の別の一つは、締め具部分と工具部分とからなり、締め具部分は、ネジ付きロッドと、そのロッドに螺合可能はナットと、ロッドに挿嵌される座金で構成され、前記ロッドはその一端が、緊締又は弛緩の対象となる静止物体の一方の面に接合され、ネジ領域を持つロッドの他端は、前記静止物体の他方の面に延びている。前記ナットはロッドのネジ領域と螺合可能である。前記の座金は、座金本体と、ロッドと協働するように配された少なくとも一つの内部セグメントと、前記本体の輪郭を超えて外側に延びて押し付けられた時に内部セグメントとロッドの他端との間に摩擦を発生させ少なくとも一つの手段を備えている。そして、座金本体は、軸方向の一端に、ロッドのネジ領域に螺合されたナットと当接する第１支承面を、他端に前記対象物体と当接する第２支承面とをそれぞれ備え、さらに、前記内部セグメントと協働する少なくとも一つの内周面を備えている。
動力工具の工具部分は、前記締め具部分の一部を最小の回転抵抗で回転させる一方、前記締め具部分の他の部分を最大の回転抵抗で無回転に保持できるところの、逆向きの二つの等しい回転力を発現する手段を備えている。そして、前記の少なくとも一つの手段を押し込み、さらに、前記した一方の回転力にて締め具部分のナットを回転させ、他方の回転力を締め具部分の座金本体に掛かて対象物体との摩擦を増大させると、座金本体を静止状態に保持し、内部セグメントがロッドの回転を阻止して、さらなる回転をナットに付与するとロッドを軸方向に伸張又は弛緩させる。
【００１０】
本発明に係る座金を使用すれば、当該座金を利用した締め具のみならず、その締め具を用いての物体の締め付け方法やその締め具用動力工具においても、次のような利益を得ることができる。すなわち、ナット用のネジ領域の下方に付加的なネジ領域を持たず、その部分がネジ山のない円柱状を呈するすべてのネジ付きロッド、すべてのボルト及びスタッドの何れかとの組み合わせ使用する際に、座金全体を置き換える代わりに、単にセグメントを置き換えるだけで済む。
【００１１】
業界ではナットやボルトを在庫品として抱えて置くことができると同様に、本発明に係る座金を在庫品として抱えて置くことができる。ネジ付きロッドしか使用しない業界もあるが、そうして業界ではナットのネジ部に係合できるように、少なくとも一つのセグメントにはネジが切られるのが通常である。また、ナットが螺合する部分だけにネジが切られ、その他の部分は円柱状のロッドを使用する業界もある。本発明の座金はそうしたロッドにも適用することができる。先に説明したように、本発明に係る少なくとも一つのセグメントは、置き換え可能であって、ナット用のネジ領域の下方でロッドとネジ係合するセグメントに代えて、ナット用ネジ領域の下方にネジ領域を持たない円筒状のロッドに相応しいセグメントを使用することができる。適用個所、ロッドの価格、保守インターバルなどに応じて、本発明に座金のセグメントは、適宜の形状をとることができ、何れも場合も、ナットとともにロッドが供回りするのを防止する。
【００１２】
本発明において言うロッドは、スタッド、ネジ付きボルト、ビス、ピン、端部にネジ領域を持つロッド、ネジ付きロッドになり得る素子である。本発明のロッドは、ナットが螺合可能なネジ領域を少なくとも一端にもち、他の部分は円筒状を呈するロッドであって差し支えない。また、一端から他端まですべてがネジ領域であるロッドであってもよい。さらに、両端にナットが螺合可能なネジ領域を持つロッドでもよく、また、ネジ領域を持つ両端の間がテーパー付きの円柱であるロッドでも差し支えない。さらに言えば、ロッドはその一端を対象物体の一方の面に溶接し、ナットが螺合するネジ領域を持つ他端を、対象物体の他方の面に突き出させることができる。
【００１３】
本発明で言う対象物体は、フランジ、容器、車輪、アタッチメント、連結具などの何れであってもよい。
ナットを締め付ける過程で、ナットが回転すると、その回転摩擦が座金本体の第１支承面に及び、対象物体は座金本体の第２支承面に回転摩擦を及ぼす。そして、座金本体の少なくとも一つの内周面は、座金本体に保持力が掛かった時に、セグメントに回転抵抗を付与し、これが次にはロッドに回転抵抗を与えている。
座金本体の回転を阻止する保持力は、当該本体の第２支承面が静止した対象物体に静止している際は、必ずしも必要ではないが、静止摩擦は確実性にかけるので、一時的に不要であっても保持力は座金本体に付与すべきである。
【００１４】
作用力にてナットを回転させ、これと等しく作用する方向が逆の反作用力にて座金本体を静止状態に保持する工具は、座金本体を回転させることができない。ナットが座金本体の第１支承面を介して座金本体に及ぼす回転力は、それと等しい逆方法の力が座金本体に及ぶことで相殺されるからである。ナットの回転でロッドに及ぶドラッグ力（引き摺り力）は、内部セグメントと座金本体をナットの回転方向に回転させようとするが、その一方で、座金本体に掛かる反作用力が、ナットの回転方向とは逆方向に、内部セグメントと座金本体を回転させようとするので、両者が相殺される。座金本体とナットに互いに等しい逆方向の力が同時に掛かれば、座金本体の第２支承面と対象物体との間の静止摩擦が、座金本体を静止状態に保持する。換言すれば、ロッドがナットと共に回転しなければ、ナットは座金本体の第１支承面に回転摩擦を及ぼすだけであり、その力は座金本体に掛かる逆向きの同等の力で相殺される。従って、座金本体の第２支承面の静止摩擦により、座金本体は静止状態に保持されるのである。同等で逆向きの力が二つの部分に及ぶと、抵抗が最小である部分が回転するので、ナットだけが回転するのである。
【発明を実施するための最良の形態】
【００１５】
図１ａ及び図１ｂは、本発明に係る座金１を示す。座金１は、符号２で示す本体を備え、その軸線をＡ１で示す。本体２は、軸方向の一端に、ロッドのネジ領域に螺合したナットと協働する第１支承面（上支承面）３を備え、他端に、締付け対象の物体と協働する第２支承面（下支承面）４を備え、さらに内周面５を備えている。本発明の座金１は、締め具を構成するロッドと協働する少なくとも一つの内部セグメント６を備えている（図示の座金は２つの内部セグメント６を持つ）。座金の本体２は、内部セグメントとロッドとの協働作用に資するように機能する。ちなみに、以下に説明するように、締め具の一部を構成するロッドの一端は、締付けの対象となる物体の一方の面に接合され、他端は対象文体の他方の面に延びている。座金の本体２は、内部セグメント６とロッドとの協働作用に寄与する。
【００１６】
図３は、互いに締付けられる２枚のプレート７及び８からなる物体を示している。符号９で示されるロッドは、締付け対象物体の一方の面に接合可能な一端１０を持ち、他端１１は、締付け対象物体の他方の面に延びて少なくとも一つのネジ領域１２を備えている。ナット１３は、ロッド９のネジ領域１２に螺合する。
本発明の座金は１、ロッドの他端１１と内部セグメント６との接点を変化させる手段を備えている。この接点変更手段は、少なくとも一つの可動部材１４であって、その一端は、座金本体２の輪郭よりも突出している（図１では２つの可動部材１４を示す）。図１ｂに示すように、可動部材１４の縦断面形状は、実質的に楔型とすることができる。この場合、可動部材の内表面１５は、軸線Ａ１側に傾斜し、同様に傾斜する内部セグメント６の外表面１６と協働する。図１ｂで示ように、当初は、可動部材１４の上端が、座金本体２の第１支承面３を超えて上に延びている。
【００１７】
本発明に係る動力工具は、図４に示される。この動力工具は、符号２０で線図的に示される駆動部を備えた工具部分を持ち、その駆動部２０は、例えば、米国特許第５,４９９,５５８号に記されているように、シリンダーと、シリンダー内で可動なピストンと、そのピストンに接続したピストンロッドを備え、ピストンの往復運動をラチェットの回転運動に変換できる流体駆動部で構成させることができる。本発明の動力工具は、さらに締め具部分を備え、その締め具部分は、図３に示すように、座金１とロッド９とナット１３から構成される締め具で構成させることができる。前記の工具部は、不動のソケット２２を持つハウジング２１を備え、不動ソケット２２は、座金１と係合してこれを静止状態に保持する。このため、不動ソケット２２の内側輪郭は、外側輪郭が多角形を呈する座金本体２に係合できるように、多角形を呈している。動力工具はまた、ラチェットによって回転する可動ソケット２３を備え、この可動ソケット２３はナット１３と係合してこれを回転させる。従って、可動ソケット２３の内面形状は、外表面が多角形であるナットに対応して多角形である。
【００１８】
対象物体を緊締するには、図４に示しように、ロッド９を対象物体であるプレート７,８に貫通させ、その一端１０を対象物体の一方の面に、例えば、ナット（図示略）で接合する。座金をロッド９に挿嵌して、座金本体の第２支承面４をプレート８の上面に当接させる。ナット１３をロッドの端部１１に螺合させる。そして、動力工具の不動ソケット２２を座金本体２の外周面に係合させ、可動ソケット２３をナット１３の外周面に係合させる。可動ソケットは、駆動部２０の作用で回転し、ナット１３を回転させる。この際、ロッド９も一緒に回転しようとするが、不動ソケット２２の保持力によって座金本体２は静止状態に保持される。内部セグメント６はロッドの端部１１に摩擦を発生させてロッドの回転を阻止する。そして、ナット１３がさらに回転すると、ロッド９は軸方向に伸張又は弛緩し、その際に内部セグメント６は座金本体２の内表面５に沿って軸方向に移動する。
【００１９】
ロッド９が緊締される過程で、可動部材１４の傾斜内表面１５と、内部セグメント６の傾斜外表面１６との間の楔作用によって、内部セグメント６が軸方向上側に動くと（図１ｂ参照）、内部セグメント６は半径方向内側に押され、内部セグメント６とロッド９との間の摩擦抵抗が増大するので、ロッドはより確実に回転しなくなる。
【００２０】
座金１をロッド９に正しく嵌めた場合は、可動部材１４は座金本体２に完全には沈み込まず、座金本体の上支承面３より上に頭を出すので、内部セグメント６とロッドの端部１１との接触面積は小さい。接触面積が小さいということは、座金のロッドト９への挿嵌を楽にする。しかし、ナット１３を座金１の上に装着し、可動部材１４を座金本体２の内部に押し下げた時は、内部セグメント６とロッド９の他端１１との間の接触面積が増大する。ロッド９から座金を取り外す時は、例えば、スプリング２４にて可動部材１４が押し上げられので、内部セグメント６とロッド９との接触面積が減少し、座金は容易にロッドから取り外すことができる。
【００２１】
座金本体２の第２支承面（下支承面）４の摩擦抵抗は、締付け対象物体であるプレート７,８を静止状態に維持することで増大する。一方、座金本体２の上支承面３の摩擦抵抗は、例えば、この支承面３に潤滑剤を塗布することで減少させることができる。
【００２２】
図１ａ及び図１ｂ、図３並びに図４で示す具体例では、座金１の内部セグメント６は、ネジ切りしていない内面を持ち、一方、ロッド９の端部１１は、ナット１３と係合する少なくとも一つのネジ領域１２を備え、そのネジ領域の下方は、ぎざぎざのない非ネジ領域である。ネジ切りされていない平滑な内面を持つ内部セグメント６は、ロッド９のネジ領域１２の下方に位置する非ネジ領域と協働する。
【００２３】
図２ａ及び図２ｂに示す具体例では、座金１の内部セグメント６aは、ネジ切りされた内面を備えている。内部セグメント６aのネジ付き内面は、図３ａから分かるように、ロッドの他端１１のネジ領域と協働するが、そのネジ領域は、ナット１３が螺合するロッドのネジ領域１２より下方に位置している。
つまり、図１ａ及び図１ｂに示す具体例では、摩擦が内部セグメント６のネジなし内面と，ロッドのネジなし外周面との間で発生するが、図２ａ及び図２ｂに示す具体例では、内部セグメント６aのネジ付き内面と、ロッドのネジ領域面との間で、摩擦が発生する。
【００２４】
図５は本発明の別の具体例を示し、その座金は図１ｂで示す座金と実質的に同じである。しかし、この例では、可動部材１４′が座金本体２の下支承面より下側に延び、プレート７,８と協働できるようになっている。図５に示す座金の作動は、図１〜２に示した座金のそれと実質的に同じである。
【００２５】
図１ａ及び図１ｂ、図２ａ及び図２ｂに示す座金は、ロッド９が伸張すると、可動部材１４によって、内部セグメント６又は内部セグメント６bと、ロッド９との摩擦抵抗が増大し、ロッド９が弛緩した際には、前記の摩擦抵抗が減少するように形成されている。内部セグメント６又は６bをロッド９の一端１１に押し付けることで、可動部材１４は当該内部セグメントの摩擦抵抗を増大させ、この内部セグメントをロッドの一端に楔止めする。
【００２６】
図６に示す具体例では、符号３１で示される座金は、内周面３３を持つ本体３２を備えている。この座金はさらに、内部セグメント３４を持ち、内部セグメント３４は、本体３２の内側に位置し、その内周面３３と協働する外面を備えている。スプリングで付勢されたピン３５は、内部セグメント３４と協働し、図２及び図５の可動部材１４又は１４′と実質的に同じ働きをする。しかし、可動部材１４又は１４′が、座金本体の上支承面又は下支承面より突出しているとは対照的に、ピン３５は、座金本体３２の外周面を超えて外側に突き出ている。内部セグメント３４はネジ山を持たず、ロッドの非ネジ領域と協働する。すなわち、ロッドはナットが螺合されるネジ領域を端部に備え、その端部下側はネジのない非ネジ領域であって、その非ネジ領域が内部セグメント３４と協働する。操作する前は、スプリング３６がピン３５を半径方向外側に付勢しているので、内部セグメント３４は半径方向内側には動かず、従って、座金は手で容易にロッド９に挿嵌することができる。しかし、工具の不動ソケット２２が、座金本体３２に装着されると、ピン３５は強制的に半径方向内側に移動させられ結果、内部セグメント３４とロッドの非ネジ領域との摩擦が増大する。座金をロッドから取り外す必要がある時は、不動ソケット２２を座金本体３２から外す。そうすると、スプリング３６がピン３５を半径方向外側に移動させ、内部セグメント３４とロッドとの摩擦が減少し、座金は容易に手で取り外すことができる。
【００２７】
上記したように、ピン３５は座金本体の外周面から突出しているので、工具による反保持力が掛かる面にまで及んでいる。図６から分かるように、本体３２の内周面３３には、内周面に沿って半径を異にし、軸線Ａ１に関して非円形である内面が存在し、これに対応して内部セグメント３４も非円形の外表面を備えている。このため、図６に示す座金の楔作用は、内部セグメント３４が半径方向内側に動いて、その内周面とロッド表面との接触摩擦が増大することで実現される。
【００２８】
図７及び図８で示す座金４１は、符号４２で示される本体を備え、さらに内周面４３を備えている。この内周面４３は、例えば、軸線Ａ１に関して非円形である幾つかの部分で構成させることができる。図示の座金は、少なくとも一つの内部セグメント４４を持ち、その外表面は座金本体４２の内周面と実質的に対応する。内部セグメント４４は、実質的に横方向に延びる当接面４５を持つ肩部を備えている。スプリング４７で付勢されたピン４６は、内部セグメント４４に作用を及ぼし、その外周面と本体４２の内周面との接触抵抗を増大させる。図７及び図８では、内部セグメント４４がワンピース部材として示されているが、対応する形状の幾つかの内部セグメント部分でこれを構成することも可能である。
【００２９】
図９及び図１０で示す座金５１は、内周面５３を持つ本体５２を備えている。この座金は、本体５２の内周面５３と協働する外周面を備えた内部セグメント５４を持つ。座金本体の内周面５３には、内周面での内部セグメント５４の自由回転を阻止する少なくとも一つの障害物が設けられる。図９及び図１０に示す具体例では、この障害物は内周面上で半径方向内側に延びた突起５５である。この突起５５は、内部セグメントの５４の外周面上に形成された対応凹部５６に収容される。座金本体５２の内周面５３と、内部セグメント５４の外周面とは、図１０に示すように、軸線Ａに対して傾いている。障害物である突起５５は、座金本体５２の内周面５３に対して内部セグメント５４が自由に回転するのを阻止するが、ロッド９が伸張又は弛緩した際には、内部セグメント５４を軸方向に移動させる。
【００３０】
図１１及び図１２に示す座金６１は、符号６２で示す本体を持つと共に、ポケット部を備えた内周面６３を持つ。この座金はまた、内部セグメント６４を備え、内部セグメントの外周面は、本体６２の内周面６３と協働する。この具体例では、内部セグメント６４とロッド（図示なし）との接触の強弱を変化させる手段に、内部セグメント６４と座金本体６２との連結手段６５が使用されている。連結手段６５は、例えば、複数個のクリップであってよく、各クリップの２つの脚部は、内部セグメント及び本体それぞれに設けた対応スロットに嵌め込まれる。クリップの内側脚部は、ロッドが伸張又は弛緩した際に、内部セグメントの軸方向への移動を許すと共に、内部セグメントとロッドとの間で摩擦が生じるように機能する。
【００３１】
図１３に示す座金も、内周面７３を持つ本体７２を備え、さらに内周面７３と協働する外周面を持った内部セグメント７４を備えている。この外周面と内周面とは、それぞれの表面にギザギザをつけてプレス嵌合させることができる。図示の座金はさらに、交換可能で易破壊性のピン７５を備え、そのピンは、座金本体７２及び内部セグメント７４に設けたピン挿入孔内に延設されている。このピンの作用は、座金本体と内部セグメントとを接触させ、内部セグメントのネジ山とロッドのネジ領域との間の当初の留めネジ効果を生じさせ、ロッドの回転を阻止することにある。操作の過程で、ロッドの回転が止まり伸張し始めると、ピン７５が折れて座金本体７２と内部セグメント７４とがプレス嵌合し、ロッドの伸張に従ってその回転を止める。ピン７５は座金本体の内周面に設けた障害物として機能し、内部セグメント７４が軸方向に勝手に動くのを阻止している。
【００３２】
図１４に示す座金も、内周面８３を持つ座金本体８１を備えるが、その内周面は非円形とすることができ、図示の例では楕円形を呈している。この座金はさらに、本体の内周面と向き合う外周面を持つ内部セグメント８４を備えているほか、切替え装置も設けられている。この切替え装置は、例えば、２つの円形の切替え部材８５で構成させることができる。切替え部材８５は外周面を備え、その外周面と内部セグメント８４の外周面とは、例えば、相互に係合する小型の歯状突起面、凹凸面などで協働する。切替え部材８５を回転させると、内部セグメントも円周方向に移動する。ロッドが緊締された時に、ロッドが時計方向に回転しようとすると、切替え部材８５を反時計方向に回転させると、内部セグメントが時計方向に回転するので、ロッドの回転が停止するまで切替え部材と内部セグメントはロッドの回転にひきずられる。弛緩する場合は、上記と逆のことが起こる。
【００３３】
図１５に示す座金９１も、内周面９３を持つ座金本体９２を備え、さらに、本体内側に内部セグメント９４を備えている。本体の内周面９３と、内部セグメント９４の外周面とを協働させるため、図示の座金は、本体の内周面９３及び／又は内部セグメント９４の外周面に、凹凸、スプライン、溝、スロットなどのような相互係合可能な仕掛け（プレス嵌合を除く）を備えている。このような仕掛けを符号９５で示す。この仕掛けがあるため、座金本体９２の内側で内部セグメント９４が回転することがない。ナットが回転し、ロッドの回転が内部セグメント９４を上方に動かそうとすればするほど、本体９２の傾斜内周面と、内部セグメント９４の傾斜外周面との協働作用により、内部セグメントはロッドの方向に押し付けられる。この押し付けは、ロッドの回転が停止するまで続く。ロッドの伸張によって内部セグメント９４が上方に引っ張られると、ロッドと内部セグメントとの係合は、ナットとロッドとの間の引っ張り摩擦に打ち勝つほどに増大する。このような作用は、ロッドの非ネジ領域だけでなく、ネジ山設けたネジ領域によってもたらされるものであり、これは、上記した具体例のすべての座金に共通する。
【図面の簡単な説明】
【００３４】
【図１ａ】本発明に係る座金の平面図。
【図１ｂ】本発明に係る座金の断面図。
【図２ａ】本発明の別の態様に係る座金の平面図。
【図２ｂ】本発明の別の態様に係る座金の断面図。
【図３】本発明に係る座金を備えた締め具。
【図３ａ】本発明の別の態様に係る座金を備えた締め具。
【図４】本発明に係る締め具に適用される動力工具と締め付け方法の説明図。
【図５】本発明の別の態様に係る座金の断面図。
【図６】本発明のさらに別の態様に係る座金の平面図。
【図７】本発明のさらに別の態様に座金の平面図。
【図８】図７に示す座金の断面図。
【図９】本発明のさらに別の態様に係る座金の平面図。
【図１０】図９に示す座金の断面図。
【図１１】本発明のさらに別の態様に係る座金の平面図。
【図１２】図１１に示す座金の断面図。
【図１３】本発明のさらに別の態様に係る座金の断面図。
【図１４】本発明のさらに別の態様に係る座金の平面図。
【図１５】本発明のさらに別の態様に係る座金の断面図。
【符号の説明】
【００３５】
１：座金                            ２：座金本体
３：第１支承面（上支承面）          ４：第２支承面（下支承面）
５：座金本体内周面                  ６：内部セグメント
９：ロッド                          １０：ロッドの一端
１１：ロッドの他端（ネジ付き）      １２：ロッドのネジ
１３：ナット                        １４：可動部材
２０：工具の駆動部                  ２１：工具のハウジング
２２：不動ソケット                  ２３：可動ソケット
【図１ａ】
2005201443.tif 000003
【図１ｂ】
2005201443.tif 000004
【図２ａ】
2005201443.tif 000005
【図２ｂ】
2005201443.tif 000006
【図３】
2005201443.tif 000007
【図３ａ】
2005201443.tif 000008
【図４】
2005201443.tif 000009
【図５】
2005201443.tif 000010
【図６】
2005201443.tif 000011
【図７】
2005201443.tif 000012
【図８】
2005201443.tif 000013
【図９】
2005201443.tif 000014
【図１０】
2005201443.tif 000015
【図１１】
2005201443.tif 000016
【図１２】
2005201443.tif 000017
【図１３】
2005201443.tif 000018
【図１４】
2005201443.tif 000019
【図１５】
2005201443.tif 000020
【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
座金本体と、座金本体が挿嵌されるネジ付きロッドと協働する少なくとも一つの内部セグメントとで構成される座金であって、
前記の座金本体は、軸方向の一端に、前記ネジ付きロッドに螺合したナットと当接する第１支承面を備え、他端に前記ネジ付きロッドが貫通した締付け対象物体と当接する第２支承面を備え、さらに、前記内部セグメントと協働する少なくとも一つの内周面を備え、その内周面と協働する前記内部セグメントが、ロッドの非ネジ領域との間で摩擦を生じさせることで、前記ロッドのネジ領域に前記ナットを工具にて螺合させた際に、ナットと一緒にロッドが回転しようとすると、工具からの保持力が座金本体を静止状態に維持しつつ、前記内部セグメントがロッドの回転を阻止してそのロッドを軸方向に伸張又は弛緩させる座金。
【請求項２】
内部セグメントが、他の内部セグメントと置き換え可能である請求項１記載の座金
【請求項３】
ナットが螺合するロッドのネジ領域より下方のネジ領域と協働するように内部セグメントが配置された請求項１記載の座金。
【請求項４】
ナットが螺合するロッドのネジ領域より下方の非ネジ領域と協働するように内部セグメントが配置された請求項１記載の座金。
【請求項５】
内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている請求項１記載の座金。
【請求項６】
座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている請求項１記載の座金。
【請求項７】
座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている請求項１記載の座金。
【請求項８】
前記内部セグメントと前記ロッドとの間の接点を変化させて両者間で摩擦を生じさせる手段をさらに備えている請求項１記載の座金。
【請求項９】
前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる請求項８記載の座金。
【請求項１０】
ロッドに座金を着脱する際に、前記内部セグメントとロッドとの間の接点が減少するように、前記の可動部材が形成されている請求項９記載の座金。
【請求項１１】
前記の可動部材が前記座金本体の第１支承面より突出し、その第１支承面の上でナットを締め付けると、可動部材が内部セグメントに向かって内側に押し付けられる請求項９記載の座金。
【請求項１２】
前記座金本体が保持力を受ける側面を備え，その側面を越えて前記可動部材を突出させ、保持力を付与した際に、可動部材が内部セグメントに向かって内側に押し付けられる請求項９記載の座金。
【請求項１３】
前記の可動部材が前記座金本体の第２支承面より突出し、ナットを締め付けて座金本体を対象物体に押し付けると、可動部材が内部セグメントに向かって内側に押し付けられる請求項９記載の座金。
【請求項１４】
接点を変化させる手段が少なくとも一つのスプリングを含む請求項８記載の座金。
【請求項１５】
接点を変化させる手段が、座金本体と内部セグメントの間に位置する少なくとも一つのスプリングを備えた請求項８記載の座金。
【請求項１６】
接点を変化させる手段が、座金本体の内周面に設けた少なくとも一つの障害物を備え、前記内周面に関して内部セグメントが前記障害物によって自由に回転できない請求項８記載の座金。
【請求項１７】
接点を変化させる手段が、内部セグメントの軸方向への自由移動を阻止するように形成されている請求項８記載の座金。
【請求項１８】
接点を変化させる手段が、ロッドの伸張に伴って摩擦を増大させるように形成されている請求項８記載の座金。
【請求項１９】
接点を変化させる手段が、ロッドの弛緩に伴って摩擦を減少させるように形成されている請求項８記載の座金。
【請求項２０】
接点を変化させる手段が、接点を変更するための切替装置を含む請求項８記載の座金。
【請求項２１】
接点を変化させる手段が、座金本体と内部セグメントとの間の接続手段を備え、その接続手段が含み、内部セグメントとロッドとの間に摩擦を生じさせる請求項８記載の座金。
【請求項２２】
座金本体の内周面が、その軸に関して非円形状を呈し、内部セグメントがロッドと共に回転しようとすると、内部セグメントが前記非円形内周面とロッドとの間で楔どめとなる請求項１記載の座金。
【請求項２３】
座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる請求項１記載の座金。
【請求項２４】
座金本体の内周面が、内部セグメントを座金本体に関して回転させないように形成されている請求項１記載の座金。
【請求項２５】
内部セグメントが、座金本体の内周面とロッドとに当接するようスプリングで付勢されている請求項１記載の座金。
【請求項２６】
接点を変化させる手段が、手動で係合可能な請求項８記載の座金。
【請求項２７】
接点を変化させる手段が、内部セグメントを座金本体に関して回転させないように形成されている請求項８記載の座金。
【請求項２８】
接点を変化させる手段が、内部セグメントとの間で摩擦が生ずるように形成されている請求項８記載の座金。
【請求項２９】
接点を変化させる手段が、内部セグメントをロッドに押し付けて両者を楔どめできるよう形成されている請求項８記載の座金。
【請求項３０】
可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする請求項９記載の座金。
【請求項３１】
座金本体が、ナットに回転力を与える工具からの保持力を受ける面を具備している請求項１記載の座金。
【請求項３２】
座金本体の第２支承面が、大きな摩擦抵抗を有している請求項１記載の座金。
【請求項３３】
座金本体の第１支承面の摩擦抵抗が小さい請求項１記載の座金。
【手続補正２】
【補正対象書類名】明細書
【補正対象項目名】全文
【補正方法】変更
【補正の内容】
【発明の詳細な説明】
【技術分野】
【０００１】
本発明は、物品の締付けに使用する留め具の座金と、その座金を備えた留め具にて物品を締付ける方法並びに締付けよう動力工具とに関する。
【背景技術】
【０００２】
インナースリーブとアウタスリーブと座金とを備えたリプレースメントナットを持つ留め具と、その留め具に作用する動力工具を使用して、二つの物品を互いに締付けることは、よく知られている。上記したリプレースメントナットの一つは、例えば、米国特許第5,341,560号に記載されている。別のリプレースメントナットを持つ留め具は、米国特許第6,254,323号に記載されており、その留め具でのボルトは、上側ネジの下にスプラインを備え持つと共に、反力を受けるための係合手段を備え、前記スプラインには座金が非回転で取り付けられる。工具の作用力（回転力）は、ボルトのネジ部及び座金面上のナットを回転させる。上記２つの米国特許に記載された留め具に共通する特徴は、工具の作用力と反力を利用すること、工具に反力アームを必要としないこと、ボルトの捩れなしにトルクをボルトの伸張に変換していること、実際の摩擦よりも計算された摩擦で見積もられるトルクよりも、あるいは、伸長したボルトから手締めされたボルトに力が伝達された時に見積もられるボルト弛緩に基づく伸張よりも、所望の残留ボルト荷重を得ることができることなどである。
【０００３】
同様な特徴を有する留め具は、米国特許出願番号10/010,377号、同10/112,101号、同10/120,343号及び同10/427,103号などにも記載されている。これらの特許文献に記載されている座金は、第３の回転抵抗面を持ち、この抵抗面はボルトのネジ部に作用する。今のところ、ボルトは、ナットと係合するだけのネジ部を持ち、その下部は円筒形であり、上記特許文献に記載されている座金も、この可能性をカバーしていない。従って、座金全体を交換する代わりに、座金のセグメントを交換するだけで、ナット用のねじ部を持ち、その下部が円筒形であるボルトすべてに適合する座金や、そうした座金付き留め具などの提供は、極めて有益である。
【発明の開示】
【発明が解決しようとする課題】
【０００４】
従って、本発明の目的の一つは、先に提案されている座金をさらに改良した座金と、その座金を備えた留め具などを提供することにある。
【課題を解決するための手段】
【０００５】
本発明の一つは、座金に関するものであって、その座金は、座金本体と、座金本体が挿嵌されるネジ付きロッドと協働する少なくとも一つの内部セグメントからなり、前記の座金本体は、軸方向の一端にナットと当接する第１支承面を、他端に締付け対象物体と当接する第２支承面とをそれぞれ備え、さらに、前記内部セグメントと協働する少なくとも一つの内周面を備え、その内周面と協働する内部セグメントが、ロッドの非ネジ領域との間で摩擦を生じさせることで、ロッドのネジ領域にナットを工具で螺合させた際に、ナットと一緒にロッドが回転しようとすると、前記工具からの保持力が座金本体を静止状態に維持しつつ、前記内部セグメントがロッドの回転を阻止してロッドを軸方向に伸張又は弛緩させる。
【０００６】
本発明はまた、締め具を提供するものでもあって、その締め具は、締付け対象物体の一方の面に一端が接合され、他端が締付け対象物の他方の面に向かった延び、しかも少なくとも一つのネジ領域を備えたロッドと、このロッドのネジ領域に螺合するナットと、座金とで構成される締め具において、前記の座金が、座金本体と、座金本体が挿嵌されるネジ付きロッドと協働する少なくとも一つの内部セグメントからなり、座金本体は、軸方向の一端に、ナットと当接する第１支承面を、他端に締付け対象物体と当接する第２支承面をそれそれ備え、さらに、前記内部セグメントと協働する少なくとも一つの内周面とを備え、その内周面と協働する内部セグメントが、ロッドの非ネジ領域との間で摩擦を生じさせることで、ロッドのネジ領域にナットを工具にて螺合させた際に、ナットと一緒にロッドが回転しようとすると、前記工具からの保持力が座金本体を静止状態に維持しつつ、前記内部セグメントがロッドの回転を阻止してロッドを軸方向に伸張又は弛緩させるように作用すること特徴とする。
【０００７】
さらに、本発明は、ロッドとナットと座金で構成される締め具にて、物体を緊締又は弛緩する方法を提供するものであって、その方法は、ナットが螺合可能なネジ領域を少なくとも一端に備えたロッドを、前記の物体に挿通させる工程と、そのロッドのネジ領域側に座金を挿嵌する工程と、ロッドのネジ領域にナットを取り付ける工程と、工具にてナットを回転させる工程とを包含し、
ロッドに挿嵌される座金として、座金本体と少なくとも一つの内部セグメントから構成される座金であって、その座金本体が軸方向の一端に、ロッドに螺合したナットと当接する第１支承面を、他端に締付け対象物体と当接する第２支承面をそれそれ備え、さらに前記内部セグメントと協働する少なくとも一つの内周面を備え、その内周面と協働する内部セグメントが、ロッドの非ネジ領域との間で摩擦を生じさせる座金を使用し、
ロッドに取り付けたナットを工具にて回転させた際に、ナットと一緒にロッドが回転しようとすると、工具からの保持力が座金本体を静止状態に保持しつつ、内部セグメントがロッドの回転を阻止し、ナットのさらなる回転でロッドを軸方向に伸張又は弛緩させることを特徴とする。
【０００８】
本発明はまた、動力工具を提案するものでもあって、その動力工具は、締め具部分と工具部分とからなる。前記の締め具部分は、ネジ付きロッドと、そのロッドに螺合可能はナットと、ロッドに挿嵌される座金で構成され、前記ロッドはその一端が、緊締又は弛緩の対象となる静止物体の一方の面に接合され、ネジ領域を持つロッド他端は、前記静止物体の他方の面に延びている。前記ナットは、前記ロッドのネジ領域に螺合可能である。前記座金は、座金本体と、当該本体の内周面と協働する内部セグメントとを持つ。この座金本体は、軸方向の一端に、ロッドのネジ領域に螺合されたナットと当接する第１支承面を、他端に前記対象物体と当接する第２支承面とをそれぞれ備え、さらに、前記内部セグメントと協働する少なくとも一つの内周面を備え、その内周面と協働する内部セグメントは、ロッドの非ネジ領域との間で摩擦を生じさせるように機能する。
動力工具の工具部分は、前記締め具部分の一部を最小の回転抵抗で回転させ、前記締め具部分の他の部分を最大の回転抵抗で無回転に保持できるところの、逆向きの二つの等しい回転力を発現する手段を備えている。そして、前記した一方の回転力が締め具部分のナットを回転させ、他方の回転力が締め具部分の座金本体に掛かって対象物体との摩擦が増大すると、座金本体を静止状態に保持し、内部セグメントがロッドの回転を阻止し、さらなるナットの回転がロッドを軸方向に伸張又は弛緩させる。
【０００９】
本発明が提案する動力工具の別の一つは、締め具部分と工具部分とからなり、締め具部分は、ネジ付きロッドと、そのロッドに螺合可能はナットと、ロッドに挿嵌される座金で構成され、前記ロッドはその一端が、緊締又は弛緩の対象となる静止物体の一方の面に接合され、ネジ領域を持つロッドの他端は、前記静止物体の他方の面に延びている。前記ナットはロッドのネジ領域と螺合可能である。前記の座金は、座金本体と、ロッドと協働するように配された少なくとも一つの内部セグメントと、前記本体の輪郭を超えて外側に延びて押し付けられた時に内部セグメントとロッドの他端との間に摩擦を発生させ少なくとも一つの手段を備えている。そして、座金本体は、軸方向の一端に、ロッドのネジ領域に螺合されたナットと当接する第１支承面を、他端に前記対象物体と当接する第２支承面とをそれぞれ備え、さらに、前記内部セグメントと協働する少なくとも一つの内周面を備えている。
動力工具の工具部分は、前記締め具部分の一部を最小の回転抵抗で回転させる一方、前記締め具部分の他の部分を最大の回転抵抗で無回転に保持できるところの、逆向きの二つの等しい回転力を発現する手段を備えている。そして、前記の少なくとも一つの手段を押し込み、さらに、前記した一方の回転力にて締め具部分のナットを回転させ、他方の回転力を締め具部分の座金本体に掛かて対象物体との摩擦を増大させると、座金本体を静止状態に保持し、内部セグメントがロッドの回転を阻止して、さらなる回転をナットに付与するとロッドを軸方向に伸張又は弛緩させる。
【００１０】
本発明に係る座金を使用すれば、当該座金を利用した締め具のみならず、その締め具を用いての物体の締め付け方法やその締め具用動力工具においても、次のような利益を得ることができる。すなわち、ナット用のネジ領域の下方に付加的なネジ領域を持たず、その部分がネジ山のない円柱状を呈するすべてのネジ付きロッド、すべてのボルト及びスタッドの何れかとの組み合わせ使用する際に、座金全体を置き換える代わりに、単にセグメントを置き換えるだけで済む。
【００１１】
業界ではナットやボルトを在庫品として抱えて置くことができると同様に、本発明に係る座金を在庫品として抱えて置くことができる。ネジ付きロッドしか使用しない業界もあるが、そうして業界ではナットのネジ部に係合できるように、少なくとも一つのセグメントにはネジが切られるのが通常である。また、ナットが螺合する部分だけにネジが切られ、その他の部分は円柱状のロッドを使用する業界もある。本発明の座金はそうしたロッドにも適用することができる。先に説明したように、本発明に係る少なくとも一つのセグメントは、置き換え可能であって、ナット用のネジ領域の下方でロッドとネジ係合するセグメントに代えて、ナット用ネジ領域の下方にネジ領域を持たない円筒状のロッドに相応しいセグメントを使用することができる。適用個所、ロッドの価格、保守インターバルなどに応じて、本発明に座金のセグメントは、適宜の形状をとることができ、何れも場合も、ナットとともにロッドが供回りするのを防止する。
【００１２】
本発明において言うロッドは、スタッド、ネジ付きボルト、ビス、ピン、端部にネジ領域を持つロッド、ネジ付きロッドになり得る素子である。本発明のロッドは、ナットが螺合可能なネジ領域を少なくとも一端にもち、他の部分は円筒状を呈するロッドであって差し支えない。また、一端から他端まですべてがネジ領域であるロッドであってもよい。さらに、両端にナットが螺合可能なネジ領域を持つロッドでもよく、また、ネジ領域を持つ両端の間がテーパー付きの円柱であるロッドでも差し支えない。さらに言えば、ロッドはその一端を対象物体の一方の面に溶接し、ナットが螺合するネジ領域を持つ他端を、対象物体の他方の面に突き出させることができる。
【００１３】
本発明で言う対象物体は、フランジ、容器、車輪、アタッチメント、連結具などの何れであってもよい。
ナットを締め付ける過程で、ナットが回転すると、その回転摩擦が座金本体の第１支承面に及び、対象物体は座金本体の第２支承面に回転摩擦を及ぼす。そして、座金本体の少なくとも一つの内周面は、座金本体に保持力が掛かった時に、セグメントに回転抵抗を付与し、これが次にはロッドに回転抵抗を与えている。
座金本体の回転を阻止する保持力は、当該本体の第２支承面が静止した対象物体に静止している際は、必ずしも必要ではないが、静止摩擦は確実性にかけるので、一時的に不要であっても保持力は座金本体に付与すべきである。
【００１４】
作用力にてナットを回転させ、これと等しく作用する方向が逆の反作用力にて座金本体を静止状態に保持する工具は、座金本体を回転させることができない。ナットが座金本体の第１支承面を介して座金本体に及ぼす回転力は、それと等しい逆方法の力が座金本体に及ぶことで相殺されるからである。ナットの回転でロッドに及ぶドラッグ力（引き摺り力）は、内部セグメントと座金本体をナットの回転方向に回転させようとするが、その一方で、座金本体に掛かる反作用力が、ナットの回転方向とは逆方向に、内部セグメントと座金本体を回転させようとするので、両者が相殺される。座金本体とナットに互いに等しい逆方向の力が同時に掛かれば、座金本体の第２支承面と対象物体との間の静止摩擦が、座金本体を静止状態に保持する。換言すれば、ロッドがナットと共に回転しなければ、ナットは座金本体の第１支承面に回転摩擦を及ぼすだけであり、その力は座金本体に掛かる逆向きの同等の力で相殺される。従って、座金本体の第２支承面の静止摩擦により、座金本体は静止状態に保持されるのである。同等で逆向きの力が二つの部分に及ぶと、抵抗が最小である部分が回転するので、ナットだけが回転するのである。
【発明を実施するための最良の形態】
【００１５】
図１a及び図１bは、本発明に係る座金１を示す。座金１は、符号２で示す本体を備え、その軸線をＡ１で示す。本体２は、軸方向の一端に、ロッドのネジ領域に螺合したナットと協働する第１支承面（上支承面）３を備え、他端に、締付け対象の物体と協働する第２支承面（下支承面）４を備え、さらに内周面５を備えている。本発明の座金１は、締め具を構成するロッドと協働する少なくとも一つの内部セグメント６を備えている（図示の座金は２つの内部セグメント６を持つ）。座金の本体２は、内部セグメントとロッドとの協働作用に資するように機能する。ちなみに、以下に説明するように、締め具の一部を構成するロッドの一端は、締付けの対象となる物体の一方の面に接合され、他端は対象文体の他方の面に延びている。座金の本体２は、内部セグメント６とロッドとの協働作用に寄与する。
【００１６】
図３は、互いに締付けられる２枚のプレート７及び８からなる物体を示している。符号９で示されるロッドは、締付け対象物体の一方の面に接合可能な一端１０を持ち、他端１１は、締付け対象物体の他方の面に延びて少なくとも一つのネジ領域１２を備えている。ナット１３は、ロッド９のネジ領域１２に螺合する。
本発明の座金は１、ロッドの他端１１と内部セグメント６との接点を変化させる手段を備えている。この接点変更手段は、少なくとも一つの可動部材１４であって、その一端は、座金本体２の輪郭よりも突出している（図１では２つの可動部材１４を示す）。図１bに示すように、可動部材１４の縦断面形状は、実質的に楔型とすることができる。この場合、可動部材の内表面１５は、軸線Ａ１側に傾斜し、同様に傾斜する内部セグメント６の外表面１６と協働する。図１bで示ように、当初は、可動部材１４の上端が、座金本体２の第１支承面３を超えて上に延びている。
【００１７】
本発明に係る動力工具は、図４に示される。この動力工具は、符号２０で線図的に示される駆動部を備えた工具部分を持ち、その駆動部２０は、例えば、米国特許第５,４９９,５５８号に記されているように、シリンダーと、シリンダー内で可動なピストンと、そのピストンに接続したピストンロッドを備え、ピストンの往復運動をラチェットの回転運動に変換できる流体駆動部で構成させることができる。本発明の動力工具は、さらに締め具部分を備え、その締め具部分は、図３に示すように、座金１とロッド９とナット１３から構成される締め具で構成させることができる。前記の工具部は、不動のソケット２２を持つハウジング２１を備え、不動ソケット２２は、座金１と係合してこれを静止状態に保持する。このため、不動ソケット２２の内側輪郭は、外側輪郭が多角形を呈する座金本体２に係合できるように、多角形を呈している。動力工具はまた、ラチェットによって回転する可動ソケット２３を備え、この可動ソケット２３はナット１３と係合してこれを回転させる。従って、可動ソケット２３の内面形状は、外表面が多角形であるナットに対応して多角形である。
【００１８】
対象物体を緊締するには、図４に示しように、ロッド９を対象物体であるプレート７,８に貫通させ、その一端１０を対象物体の一方の面に、例えば、ナット（図示略）で接合する。座金をロッド９に挿嵌して、座金本体の第２支承面４をプレート８の上面に当接させる。ナット１３をロッドの端部１１に螺合させる。そして、動力工具の不動ソケット２２を座金本体２の外周面に係合させ、可動ソケット２３をナット１３の外周面に係合させる。可動ソケットは、駆動部２０の作用で回転し、ナット１３を回転させる。この際、ロッド９も一緒に回転しようとするが、不動ソケット２２の保持力によって座金本体２は静止状態に保持される。内部セグメント６はロッドの端部１１に摩擦を発生させてロッドの回転を阻止する。そして、ナット１３がさらに回転すると、ロッド９は軸方向に伸張又は弛緩し、その際に内部セグメント６は座金本体２の内表面５に沿って軸方向に移動する。
【００１９】
ロッド９が緊締される過程で、可動部材１４の傾斜内表面１５と、内部セグメント６の傾斜外表面１６との間の楔作用によって、内部セグメント６が軸方向上側に動くと（図１b参照）、内部セグメント６は半径方向内側に押され、内部セグメント６とロッド９との間の摩擦抵抗が増大するので、ロッドはより確実に回転しなくなる。
【００２０】
座金１をロッド９に正しく嵌めた場合は、可動部材１４は座金本体２に完全には沈み込まず、座金本体の上支承面３より上に頭を出すので、内部セグメント６とロッドの端部１１との接触面積は小さい。接触面積が小さいということは、座金のロッドト９への挿嵌を楽にする。しかし、ナット１３を座金１の上に装着し、可動部材１４を座金本体２の内部に押し下げた時は、内部セグメント６とロッド９の他端１１との間の接触面積が増大する。ロッド９から座金を取り外す時は、例えば、スプリング２４にて可動部材１４が押し上げられので、内部セグメント６とロッド９との接触面積が減少し、座金は容易にロッドから取り外すことができる。
【００２１】
座金本体２の第２支承面（下支承面）４の摩擦抵抗は、締付け対象物体であるプレート７,８を静止状態に維持することで増大する。一方、座金本体２の上支承面３の摩擦抵抗は、例えば、この支承面３に潤滑剤を塗布することで減少させることができる。
【００２２】
図１a及び図１b、図３並びに図４で示す具体例では、座金１の内部セグメント６は、ネジ切りしていない内面を持ち、一方、ロッド９の端部１１は、ナット１３と係合する少なくとも一つのネジ領域１２を備え、そのネジ領域の下方は、ぎざぎざのない非ネジ領域である。ネジ切りされていない平滑な内面を持つ内部セグメント６は、ロッド９のネジ領域１２の下方に位置する非ネジ領域と協働する。
【００２３】
図２a及び図２bに示す具体例では、座金１の内部セグメント６aは、ネジ切りされた内面を備えている。内部セグメント６aのネジ付き内面は、図３aから分かるように、ロッドの他端１１のネジ領域と協働するが、そのネジ領域は、ナット１３が螺合するロッドのネジ領域１２より下方に位置している。
つまり、図１a及び図１bに示す具体例では、摩擦が内部セグメント６のネジなし内面と，ロッドのネジなし外周面との間で発生するが、図２a及び図２bに示す具体例では、内部セグメント６aのネジ付き内面と、ロッドのネジ領域面との間で、摩擦が発生する。
【００２４】
図５は本発明の別の具体例を示し、その座金は図１bで示す座金と実質的に同じである。しかし、この例では、可動部材１４′が座金本体２の下支承面より下側に延び、プレート７,８と協働できるようになっている。図５に示す座金の作動は、図１〜２に示した座金のそれと実質的に同じである。
【００２５】
図１a及び図１b、図２a及び図２bに示す座金は、ロッド９が伸張すると、可動部材１４によって、内部セグメント６又は内部セグメント６bと、ロッド９との摩擦抵抗が増大し、ロッド９が弛緩した際には、前記の摩擦抵抗が減少するように形成されている。内部セグメント６又は６bをロッド９の一端１１に押し付けることで、可動部材１４は当該内部セグメントの摩擦抵抗を増大させ、この内部セグメントをロッドの一端に楔止めする。
【００２６】
図６に示す具体例では、符号３１で示される座金は、内周面３３を持つ本体３２を備えている。この座金はさらに、内部セグメント３４を持ち、内部セグメント３４は、本体３２の内側に位置し、その内周面３３と協働する外面を備えている。スプリングで付勢されたピン３５は、内部セグメント３４と協働し、図２及び図５の可動部材１４又は１４′と実質的に同じ働きをする。しかし、可動部材１４又は１４′が、座金本体の上支承面又は下支承面より突出しているとは対照的に、ピン３５は、座金本体３２の外周面を超えて外側に突き出ている。内部セグメント３４はネジ山を持たず、ロッドの非ネジ領域と協働する。すなわち、ロッドはナットが螺合されるネジ領域を端部に備え、その端部下側はネジのない非ネジ領域であって、その非ネジ領域が内部セグメント３４と協働する。操作する前は、スプリング３６がピン３５を半径方向外側に付勢しているので、内部セグメント３４は半径方向内側には動かず、従って、座金は手で容易にロッド９に挿嵌することができる。しかし、工具の不動ソケット２２が、座金本体３２に装着されると、ピン３５は強制的に半径方向内側に移動させられ結果、内部セグメント３４とロッドの非ネジ領域との摩擦が増大する。座金をロッドから取り外す必要がある時は、不動ソケット２２を座金本体３２から外す。そうすると、スプリング３６がピン３５を半径方向外側に移動させ、内部セグメント３４とロッドとの摩擦が減少し、座金は容易に手で取り外すことができる。
【００２７】
上記したように、ピン３５は座金本体の外周面から突出しているので、工具による反保持力が掛かる面にまで及んでいる。図６から分かるように、本体３２の内周面３３には、内周面に沿って半径を異にし、軸線Ａ１に関して非円形である内面が存在し、これに対応して内部セグメント３４も非円形の外表面を備えている。このため、図６に示す座金の楔作用は、内部セグメント３４が半径方向内側に動いて、その内周面とロッド表面との接触摩擦が増大することで実現される。
【００２８】
図７及び図８で示す座金４１は、符号４２で示される本体を備え、さらに内周面４３を備えている。この内周面４３は、例えば、軸線Ａ１に関して非円形である幾つかの部分で構成させることができる。図示の座金は、少なくとも一つの内部セグメント４４を持ち、その外表面は座金本体４２の内周面と実質的に対応する。内部セグメント４４は、実質的に横方向に延びる当接面４５を持つ肩部を備えている。スプリング４７で付勢されたピン４６は、内部セグメント４４に作用を及ぼし、その外周面と本体４２の内周面との接触抵抗を増大させる。図７及び図８では、内部セグメント４４がワンピース部材として示されているが、対応する形状の幾つかの内部セグメント部分でこれを構成することも可能である。
【００２９】
図９及び図１０で示す座金５１は、内周面５３を持つ本体５２を備えている。この座金は、本体５２の内周面５３と協働する外周面を備えた内部セグメント５４を持つ。座金本体の内周面５３には、内周面での内部セグメント５４の自由回転を阻止する少なくとも一つの障害物が設けられる。図９及び図１０に示す具体例では、この障害物は内周面上で半径方向内側に延びた突起５５である。この突起５５は、内部セグメントの５４の外周面上に形成された対応凹部５６に収容される。座金本体５２の内周面５３と、内部セグメント５４の外周面とは、図１０に示すように、軸線Ａに対して傾いている。障害物である突起５５は、座金本体５２の内周面５３に対して内部セグメント５４が自由に回転するのを阻止するが、ロッド９が伸張又は弛緩した際には、内部セグメント５４を軸方向に移動させる。
【００３０】
図１１及び図１２に示す座金６１は、符号６２で示す本体を持つと共に、ポケット部を備えた内周面６３を持つ。この座金はまた、内部セグメント６４を備え、内部セグメントの外周面は、本体６２の内周面６３と協働する。この具体例では、内部セグメント６４とロッド（図示なし）との接触の強弱を変化させる手段に、内部セグメント６４と座金本体６２との連結手段６５が使用されている。連結手段６５は、例えば、複数個のクリップであってよく、各クリップの２つの脚部は、内部セグメント及び本体それぞれに設けた対応スロットに嵌め込まれる。クリップの内側脚部は、ロッドが伸張又は弛緩した際に、内部セグメントの軸方向への移動を許すと共に、内部セグメントとロッドとの間で摩擦が生じるように機能する。
【００３１】
図１３に示す座金も、内周面７３を持つ本体７２を備え、さらに内周面７３と協働する外周面を持った内部セグメント７４を備えている。この外周面と内周面とは、それぞれの表面にギザギザをつけてプレス嵌合させることができる。図示の座金はさらに、交換可能で易破壊性のピン７５を備え、そのピンは、座金本体７２及び内部セグメント７４に設けたピン挿入孔内に延設されている。このピンの作用は、座金本体と内部セグメントとを接触させ、内部セグメントのネジ山とロッドのネジ領域との間の当初の留めネジ効果を生じさせ、ロッドの回転を阻止することにある。操作の過程で、ロッドの回転が止まり伸張し始めると、ピン７５が折れて座金本体７２と内部セグメント７４とがプレス嵌合し、ロッドの伸張に従ってその回転を止める。ピン７５は座金本体の内周面に設けた障害物として機能し、内部セグメント７４が軸方向に勝手に動くのを阻止している。
【００３２】
図１４に示す座金も、内周面８３を持つ座金本体８１を備えるが、その内周面は非円形とすることができ、図示の例では楕円形を呈している。この座金はさらに、本体の内周面と向き合う外周面を持つ内部セグメント８４を備えているほか、切替え装置も設けられている。この切替え装置は、例えば、２つの円形の切替え部材８５で構成させることができる。切替え部材８５は外周面を備え、その外周面と内部セグメント８４の外周面とは、例えば、相互に係合する小型の歯状突起面、凹凸面などで協働する。切替え部材８５を回転させると、内部セグメントも円周方向に移動する。ロッドが緊締された時に、ロッドが時計方向に回転しようとすると、切替え部材８５を反時計方向に回転させると、内部セグメントが時計方向に回転するので、ロッドの回転が停止するまで切替え部材と内部セグメントはロッドの回転にひきずられる。弛緩する場合は、上記と逆のことが起こる。
【００３３】
図１５に示す座金９１も、内周面９３を持つ座金本体９２を備え、さらに、本体内側に内部セグメント９４を備えている。本体の内周面９３と、内部セグメント９４の外周面とを協働させるため、図示の座金は、本体の内周面９３及び／又は内部セグメント９４の外周面に、凹凸、スプライン、溝、スロットなどのような相互係合可能な仕掛け（プレス嵌合を除く）を備えている。このような仕掛けを符号９５で示す。この仕掛けがあるため、座金本体９２の内側で内部セグメント９４が回転することがない。ナットが回転し、ロッドの回転が内部セグメント９４を上方に動かそうとすればするほど、本体９２の傾斜内周面と、内部セグメント９４の傾斜外周面との協働作用により、内部セグメントはロッドの方向に押し付けられる。この押し付けは、ロッドの回転が停止するまで続く。ロッドの伸張によって内部セグメント９４が上方に引っ張られると、ロッドと内部セグメントとの係合は、ナットとロッドとの間の引っ張り摩擦に打ち勝つほどに増大する。このような作用は、ロッドの非ネジ領域だけでなく、ネジ山設けたネジ領域によってもたらされるものであり、これは、上記した具体例のすべての座金に共通する。
【００３４】
以下に本発明の実施形態を箇条書きに摘記する。
１．  座金本体と、座金本体が挿嵌されるネジ付きロッドと協働する少なくとも一つの内部セグメントとで構成される座金であって、
前記の座金本体は、軸方向の一端に、前記ネジ付きロッドに螺合したナットと当接する第１支承面を備え、他端に前記ネジ付きロッドが貫通した締付け対象物体と当接する第２支承面を備え、さらに、前記内部セグメントと協働する少なくとも一つの内周面を備え、その内周面と協働する前記内部セグメントが、ロッドの非ネジ領域との間で摩擦を生じさせることで、前記ロッドのネジ領域に前記ナットを工具にて螺合させた際に、ナットと一緒にロッドが回転しようとすると、工具からの保持力が座金本体を静止状態に維持しつつ、前記内部セグメントがロッドの回転を阻止してそのロッドを軸方向に伸張又は弛緩させる座金。
２．  内部セグメントが、他の内部セグメントと置き換え可能である前項１記載の座金
３．  ナットが螺合するロッドのネジ領域より下方のネジ領域と協働するように内部セグメントが配置された前項１記載の座金。
４．  ナットが螺合するロッドのネジ領域より下方の非ネジ領域と協働するように内部セグメントが配置された前項１記載の座金。
５．  内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている前項１記載の座金。
６．  座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている前項１記載の座金。
７．  座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている前項１記載の座金。
８．  前記内部セグメントと前記ロッドとの間の接点を変化させて両者間で摩擦を生じさせる手段をさらに備えている前項１記載の座金。
９．  前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる前項８記載の座金。
１０．  ロッドに座金を着脱する際に、前記内部セグメントとロッドとの間の接点が減少するように、前記の可動部材が形成されている前項９記載の座金。
１１．  前記の可動部材が前記座金本体の第１支承面より突出し、その第１支承面の上でナットを締め付けると、可動部材が内部セグメントに向かって内側に押し付けられる前項９記載の座金。
１２．  前記座金本体が保持力を受ける側面を備え，その側面を越えて前記可動部材を突出させ、保持力を付与した際に、可動部材が内部セグメントに向かって内側に押し付けられる前項９記載の座金。
１３．  前記の可動部材が前記座金本体の第２支承面より突出し、ナットを締め付けて座金本体を対象物体に押し付けると、可動部材が内部セグメントに向かって内側に押し付けられる前項９記載の座金。
１４．  接点を変化させる手段が少なくとも一つのスプリングを含む前項８記載の座金。
１５．  接点を変化させる手段が、座金本体と内部セグメントの間に位置する少なくとも一つのスプリングを備えた前項８記載の座金。
１６．  接点を変化させる手段が、座金本体の内周面に設けた少なくとも一つの障害物を備え、前記内周面に関して内部セグメントが前記障害物によって自由に回転できない前項８記載の座金。
１７．  接点を変化させる手段が、内部セグメントの軸方向への自由移動を阻止するように形成されている前項８記載の座金。
１８．  接点を変化させる手段が、ロッドの伸張に伴って摩擦を増大させるように形成されている前項８記載の座金。
１９．  接点を変化させる手段が、ロッドの弛緩に伴って摩擦を減少させるように形成されている前項８記載の座金。
２０．  接点を変化させる手段が、接点を変更するための切替装置を含む前項８記載の座金。
２１．  接点を変化させる手段が、座金本体と内部セグメントとの間の接続手段を備え、その接続手段が含み、内部セグメントとロッドとの間に摩擦を生じさせる前項８記載の座金。
２２．  座金本体の内周面が、その軸に関して非円形状を呈し、内部セグメントがロッドと共に回転しようとすると、内部セグメントが前記非円形内周面とロッドとの間で楔どめとなる前項１記載の座金。
２３．  座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる前項１記載の座金。
２４．  座金本体の内周面が、内部セグメントを座金本体に関して回転させないように形成されている前項１記載の座金。
２５．  内部セグメントが、座金本体の内周面とロッドとに当接するようスプリングで付勢されている前項１記載の座金。
２６．  接点を変化させる手段が、手動で係合可能な前項８記載の座金。
２７．  接点を変化させる手段が、内部セグメントを座金本体に関して回転させないように形成されている前項８記載の座金。
２８．  接点を変化させる手段が、内部セグメントとの間で摩擦が生ずるように形成されている前項８記載の座金。
２９．  接点を変化させる手段が、内部セグメントをロッドに押し付けて両者を楔どめできるよう形成されている前項８記載の座金。
３０．  可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする前項９記載の座金。
３１．  座金本体が、ナットに回転力を与える工具からの保持力を受ける面を具備している前項１記載の座金。
３２．  座金本体の第２支承面が、大きな摩擦抵抗を有している前項１記載の座金。
３３．  座金本体の第１支承面の摩擦抵抗が小さい前項１記載の座金。
【００３５】
３４．  締付け対象物体の一方の面に一端が接合され、他端が締付け対象物の他方の面に向かった延び、しかも少なくとも一つのネジ領域を備えたロッドと、このロッドのネジ領域に螺合するナットと、座金とで構成される締め具であって、締め具の座金が、座金本体と、座金本体が挿嵌されるネジ付きロッドと協働する少なくとも一つの内部セグメントからなり、座金本体は、軸方向の一端に、ナットと当接する第１支承面を、他端に締付け対象物体と当接する第２支承面をそれそれ備え、さらに、前記内部セグメントと協働する少なくとも一つの内周面とを備え、その内周面と協働する内部セグメントが、ロッドの非ネジ領域との間で摩擦を生じさせることで、ロッドのネジ領域にナットを工具にて螺合させた際に、ナットと一緒にロッドが回転しようとすると、前記工具からの保持力が座金本体を静止状態に維持しつつ、前記内部セグメントがロッドの回転を阻止してロッドを軸方向に伸張又は弛緩させる締め具。
３５．  内部セグメントが、他の内部セグメントと置き換え可能である前項３４記載の締め具。
３６．  ナットが螺合するロッドのネジ領域より下方のネジ領域と協働するように内部セグメントが配置された前項３４記載の締め具。
３７．  ナットが螺合するロッドのネジ領域より下方の非ネジ領域と協働するように内部セグメントが配置された前項３４記載の締め具。
３８．  内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている前項３４記載の締め具。
３９．  座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている前項３４記載の締め具。
４０．  座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている前項３４記載の締め具。
４１．  前記内部セグメントと前記ロッドとの間の接点を変化させて両者間で摩擦を生じさせる手段をさらに備えている前項３４記載の締め具。
４２．  前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる前項４１記載の締め具。
４３．  ロッドに座金を着脱する際に、内部セグメントとロッドとの間の接点が減少するように、前記の可動部材が形成されている前項４２記載の締め具。
４４．  前記の可動部材が前記座金本体の第１支承面より突出し、その第１支承面の上でナットを締め付けると、可動部材が内部セグメントに向かって内側に押し付けられる前項４２記載の締め具。
４５．  座金本体が保持力を受ける側面を備え，その側面を越えて前記可動部材を突出させ、保持力を付与した際に、可動部材が内部セグメントに向かって内側に押し付けられる前項４２記載の締め具。
４６．  前記の可動部材が座金本体の第２支承面より突出し、ナットを締め付けて座金本体を対象物体に押し付けると、可動部材が内部セグメントに向かって内側に押し付けられる前項４２記載の締め具。
４７．  接点を変化させる手段が少なくとも一つのスプリングを含む前項４１記載の締め具。
４８．  接点を変化させる手段が、座金本体と内部セグメントの間に位置する少なくとも一つのスプリングを備えた前項４１記載の締め具。
４９．  接点を変化させる手段が、座金本体の内周面に設けた少なくとも一つの障害物を備え、前記内周面に関して内部セグメントが前記障害物によって自由に回転できない前項４１記載の締め具。
５０．  接点を変化させる手段が、内部セグメントの軸方向への自由移動を阻止するように形成されている前項４１記載の締め具。
５１．  接点を変化させる手段が、ロッドの伸張に伴って摩擦を増大させるように形成されている前項４１記載の締め具。
５２．  接点を変化させる手段が、ロッドの弛緩に伴って摩擦を減少させるように形成されている前項４１記載の締め具。
５３．  接点を変化させる手段が、接点を変更するための切替装置を含む前項４１記載の締め具。
５４．  接点を変化させる手段が、座金本体と内部セグメントとの間の接続手段を備え、その接続手段が含み、内部セグメントとロッドとの間に摩擦を生じさせる前項４１記載の締め具。
５５．  座金本体の内周面が、その軸に関して非円形状を呈し、内部セグメントがロッドと共に回転しようとすると、内部セグメントが前記非円形内周面とロッドとの間で楔どめとなる前項３４記載の締め具。
５６．  座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる前項３４記載の締め具。
５７．  座金本体の内周面が、内部セグメントを座金本体に関して回転させないように形成されている前項３４記載の締め具。
５８．  内部セグメントが、座金本体の内周面とロッドとに当接するようスプリングで付勢されている前項３４記載の締め具。
５９．  接点を変化させる手段が、手動で係合可能な前項３４記載の締め具。
６０．  接点を変化させる手段が、内部セグメントを座金本体に関して回転させないように形成されている前項４１記載の締め具。
６１．  接点を変化させる手段が、内部セグメントとの間で摩擦が生ずるように形成されている前項４１記載の締め具。
６２．  接点を変化させる手段が、内部セグメントをロッドに押し付けて両者を楔どめできるよう形成されている前項４１記載の締め具。
６３．  可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする前項４２記載の締め具。
６４．  座金本体が、ナットに回転力を与える工具からの保持力を受ける面を具備している前項４２記載の締め具。
６５．  座金本体の第２支承面が、大きな摩擦抵抗を有している前項４２記載の締め具。
６６．  座金本体の第１支承面の摩擦抵抗が、第２支承面のそれに比較して小さい前項３４記載の締め具。
【００３６】
６７．  ネジ付きロッドと、ロッドのネジ領域に螺合可能なナットと、そのロッドに挿嵌される座金で構成される締め具にて、対象物体を締め付ける方法において、
ナットが螺合可能なネジ領域を少なくとも一端に備えたロッドを、前記の対象物体に挿通させる工程と、そのロッドのネジ領域側に座金を挿嵌する工程と、ロッドのネジ領域にナットを取り付ける工程と、工具にてナットを回転させる工程とを包含し、ロッドに挿嵌する座金として、座金本体と少なくとも一つの内部セグメントから構成される座金であって、その座金本体が軸方向の一端に、ロッドに螺合したナットと当接する第１支承面を、他端に締付け対象物体と当接する第２支承面をそれそれ備え、さらに前記内部セグメントと協働する少なくとも一つの内周面を備え、その内周面と協働する内部セグメントが、ロッドの非ネジ領域との間で摩擦を生じさせる座金を使用し、ロッドに取り付けたナットを工具にて回転させた際に、ナットと一緒にロッドが回転しようとすると、工具からの保持力が座金本体を静止状態に保持しつつ、内部セグメントがロッドの回転を阻止し、ナットのさらなる回転でロッドを軸方向に伸張又は弛緩させることを特徴とする前記の締め付け方法。
６８．  内部セグメントが、他の内部セグメントと置き換え可能である前項６７記載の締め付け方法。
６９．  ナットが螺合するロッドのネジ領域より下方のネジ領域と協働するように内部セグメントが配置された前項６７記載の締め付け方法。
７０．  ナットが螺合するロッドのネジ領域より下方の非ネジ領域と協働するように内部セグメントが配置された前項６７記載の締め付け方法。
７１．  内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている前項６７記載の締め付け方法。
７２．  座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている前項６７記載の締め付け方法。
７３．  座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている前項６７記載の締め付け方法。
７４．  前記内部セグメントと前記ロッドとの間の接点を変化させて両者間で摩擦を生じさせる手段をさらに備えている前項６７記載の締め付け方法。
７５．  前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる前項７４記載の締め付け方法。
７６．  ロッドに座金を着脱する際に、前記内部セグメントとロッドとの間の接点が減少するように、前記の可動部材が形成されている前項７５記載の締め付け方法。
７７．  前記の可動部材が前記座金本体の第１支承面より突出し、その第１支承面の上でナットを締め付けると、可動部材が内部セグメントに向かって内側に押し付けられる前項７５記載の締め付け方法。
７８．  前記座金本体が保持力を受ける側面を備え，その側面を越えて前記可動部材を突出させ、保持力を付与した際に、可動部材が内部セグメントに向かって内側に押し付けられる前項７５記載の締め付け方法。
７９．  前記の可動部材が前記座金本体の第２支承面より突出し、ナットを締め付けて座金本体を対象物体に押し付けると、可動部材が内部セグメントに向かって内側に押し付けられる前項７５記載の締め付け方法。
８０．  接点を変化させる手段が少なくとも一つのスプリングを含む前項７４記載の締め付け方法。
８１．  接点を変化させる手段が、座金本体と内部セグメントの間に位置する少なくとも一つのスプリングを備えた前項７４記載の締め付け方法。
８２．  接点を変化させる手段が、座金本体の内周面に設けた少なくとも一つの障害物を備え、前記内周面に関して内部セグメントが前記障害物によって自由に回転できない前項７４記載の締め付け方法。
８３．  接点を変化させる手段が、内部セグメントの軸方向への自由移動を阻止するように形成されている前項７４記載の締め付け方法。
８４．  接点を変化させる手段が、ロッドの伸張に伴って摩擦を増大させるように形成されている前項７４記載の締め付け方法。
８５．  接点を変化させる手段が、ロッドの弛緩に伴って摩擦を減少させるように形成されている前項７４記載の締め付け方法。
８６．  接点を変化させる手段が、接点を変更するための切替装置を含む前項７４記載の締め付け方法。
８７．  接点を変化させる手段が、座金本体と内部セグメントとの間の接続手段を備え、その接続手段が含み、内部セグメントとロッドとの間に摩擦を生じさせる前項７４記載の締め付け方法。
８８．  座金本体の内周面が、その軸に関して非円形状を呈し、内部セグメントがロッドと共に回転しようとすると、内部セグメントが前記非円形内周面とロッドとの間で楔どめとなる前項６７記載の締め付け方法。
８９．  座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる前項６７記載の締め付け方法。
９０．  座金本体の内周面が、内部セグメントを座金本体に関して回転させないように形成されている前項６７記載の締め付け方法。
９１．  内部セグメントが、座金本体の内周面とロッドとに当接するようスプリングで付勢されている前項６７記載の締め付け方法。
９２．  接点を変化させる手段が、手動で係合可能な前項７４記載の締め付け方法。
９３．  接点を変化させる手段が、内部セグメントを座金本体に関して回転させないように形成されている前項７４記載の締め付け方法。
９４．  接点を変化させる手段が、内部セグメントとの間で摩擦が生ずるように形成されている前項７４記載の締め付け方法。
９５．  接点を変化させる手段が、内部セグメントをロッドに押し付けて両者を楔どめできるよう形成されている前項７４記載の締め付け方法。
９６．  可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする前項７５記載の締め付け方法。
９７．  座金本体が、ナットに回転力を与える工具からの保持力を受ける面を具備している前項６７記載の締め付け方法。
９８．  座金本体の第２支承面が、大きな摩擦抵抗を有している前項６７記載の締め付け方法。
９９．  座金本体の第１支承面の摩擦抵抗が、第２支承面のそれに比較して小さい前項６７記載の締め付け方法。
【００３７】
１００．  締め具部分と工具部分とからなる動力工具であって、締め具部分が、ネジ付きロッドと、そのロッドに螺合可能なナットと、ロッドに挿嵌される座金とで構成され、前記ロッドの一端は、緊締又は弛緩の対象となる静止物体の一方の面に接合され、ネジ領域を持つ他端は、静止物体の他方の面に延出し、ロッドに挿嵌される座金は、座金本体とその内周面と協働する内部セグメントとから構成され、座金本体は軸方向一端に、ロッドに螺合されたナットと当接する第１支承面を備え、他端に静止物体と当接する第２支承面を備え、座金本体の内周面と協働する内部セグメントは、ロッドの非ネジ領域との間で摩擦を発生させ、前記工具部分が、前記締め具部分のナットを最小の回転抵抗でさせつつ、前記締め具の座金本体を最大の回転抵抗で無回転に保持するところの、向きが逆の二つの同等な回転力を提供できる動力工具。
１０１．  内部セグメントが、他の内部セグメントと置き換え可能である前項１００記載の動力工具
１０２．  ナットが螺合するロッドのネジ領域より下方のネジ領域と協働するように内部セグメントが配置された前項１００記載の動力工具。
１０３．  ナットが螺合するロッドのネジ領域より下方の非ネジ領域と協働するように内部セグメントが配置された前項１００記載の動力工具。
１０４．  内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている前項１００記載の動力工具。
１０５．  座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている前項１００記載の動力工具。
１０６．  座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている前項１００記載の動力工具。
１０７．  前記内部セグメントと前記ロッドとの間の接点を変化させて両者間で摩擦を生じさせる手段をさらに備えている前項１００記載の動力工具。
１０８．  前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる前項１００記載の動力工具。
１０９．  ロッドに座金を着脱する際に、前記内部セグメントとロッドとの間の接点が減少するように、前記の可動部材が形成されている前項１０８記載の動力工具。
１１０．  前記の可動部材が前記座金本体の第１支承面より突出し、その第１支承面の上でナットを締め付けると、可動部材が内部セグメントに向かって内側に押し付けられる前項１０８記載の動力工具。
１１１．  前記座金本体が保持力を受ける側面を備え，その側面を越えて前記可動部材を突出させ、保持力を付与した際に、可動部材が内部セグメントに向かって内側に押し付けられる前項１０８記載の動力工具。
１１２．  前記の可動部材が前記座金本体の第２支承面より突出し、ナットを締め付けて座金本体を対象物体に押し付けると、可動部材が内部セグメントに向かって内側に押し付けられる前項１０８記載の動力工具。
１１３．  接点を変化させる手段が少なくとも一つのスプリングを含む前項１０７記載の動力工具。
１１４．  接点を変化させる手段が、座金本体と内部セグメントの間に位置する少なくとも一つのスプリングを備えた前項１０７記載の動力工具。
１１５．  接点を変化させる手段が、座金本体の内周面に設けた少なくとも一つの障害物を備え、前記内周面に関して内部セグメントが前記障害物によって自由に回転できない前項１０７記載の動力工具。
１１６．  接点を変化させる手段が、内部セグメントの軸方向への自由移動を阻止するように形成されている前項１０７記載の動力工具。
１１７．  接点を変化させる手段が、ロッドの伸張に伴って摩擦を増大させるように形成されている前項１０７記載の動力工具。
１１８．  接点を変化させる手段が、ロッドの弛緩に伴って摩擦を減少させるように形成されている前項１０７記載の動力工具。
１１９．  接点を変化させる手段が、接点を変更するための切替装置を含む前項１０７記載の動力工具。
１２０．  接点を変化させる手段が、座金本体と内部セグメントとの間の接続手段を備え、その接続手段が含み、内部セグメントとロッドとの間に摩擦を生じさせる前項１０７記載の動力工具。
１２１．  座金本体の内周面が、その軸に関して非円形状を呈し、内部セグメントがロッドと共に回転しようとすると、内部セグメントが前記非円形内周面とロッドとの間で楔どめとなる前項１００記載の動力工具。
１２２．  座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる前項１００記載の動力工具。
１２３．  座金本体の内周面が、内部セグメントを座金本体に関して回転させないように形成されている前項１００記載の動力工具。
１２４．  内部セグメントが、座金本体の内周面とロッドとに当接するようスプリングで付勢されている前項１００記載の動力工具。
１２５．  接点を変化させる手段が、手動で係合可能な前項１０７記載の動力工具。
１２６．  接点を変化させる手段が、内部セグメントを座金本体に関して回転させないように形成されている前項１０７記載の動力工具。
１２７．  接点を変化させる手段が、内部セグメントとの間で摩擦が生ずるように形成されている前項１０７記載の動力工具。
１２８．  接点を変化させる手段が、内部セグメントをロッドに押し付けて両者を楔どめできるよう形成されている前項１０８記載の動力工具。
１２９．  可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする前項１００記載の動力工具。
１３０．  座金本体が、ナットに回転力を与える工具からの保持力を受ける面を具備している前項１００記載の動力工具。
１３１．  座金本体の第２支承面が、大きな摩擦抵抗を有している前項１００記載の動力工具。
１３２．  座金本体の第１支承面の摩擦抵抗が、第２支承面のそれに比較して小さい前項１００記載の動力工具。
【００３８】
１３３．  締め具部分と工具部分とからなる動力工具であって、締め具部分が、ネジ付きロッドと、そのロッドのネジ領域に螺合可能なナットと、ロッドに挿嵌される座金とで構成され、前記ロッドはその一端が、緊締又は弛緩の対象となる静止物体の一方の面に接合され、ネジ領域を持つロッドの他端は、前記静止物体の他方の面に延出し、前記座金は、座金本体とその内周面と協働する少なくとも一つの内部セグメントと、座金本体の輪郭を超えて外側に延出し、押し付けられた時に内部セグメントとロッドとの間で摩擦を発生させる押し込み手段とで構成され、座金本体は軸方向一端に、ロッドに螺合されたナットと当接する第１支承面を備え、他端に前記対象物体と当接する第２支承面を備え、前記工具部分が、押し込み手段を押圧する力を提供し、さらに、前記締め具部分のナットを最小の回転抵抗で回転させつつ、座金本体を最大の回転抵抗で無回転に保持するところの、向きが逆の二つの同等な回転力を提供する動力工具。
１３４．  内部セグメントが、他の内部セグメントと置き換え可能である前項１記載の動力工具。
１３５．  ナットが螺合するロッドのネジ領域より下方のネジ領域と協働するように内部セグメントが配置された前項１３３記載の動力工具。
１３６．  ナットが螺合するロッドのネジ領域より下方の非ネジ領域と協働するように内部セグメントが配置された前項１３３記載の動力工具。
１３７．  内部セグメントが、ナットが螺合するロッドのネジ領域より下方のネジ領域と協働する第１セグメントと、ナットが螺合するロッドのネジ領域より下方の非ネジ領域と協働する第２セグメントとからなる群から選ばれる一つのセグメントとして、内部セグメントが形成され、第１および第２セグメントのいずれか一方が他方と置き換え可能に座金本体に配置されている前項１３３記載の動力工具。
１３８．  座金を手でロッドに挿嵌できるように、前記内部セグメントとロッドとの間の摩擦が、座金をロッドに挿嵌した後よりも、挿嵌中の方が小さいように、前記の座金本体と前記の内部セグメントとが形成されている前項１３３記載の動力工具。
１３９．  座金を手で外せるように、前記内部セグメントとロッドとの間の摩擦が、座金をロッドに挿嵌した後よりも、ロッドから座金を取り外している間の方が小さいように、前記の座金本体と前記の内部セグメントとが形成されている前項１３３記載の動力工具。
１４０．  前記手段が、内部セグメントと前記ロッドとの間の接点を変化させる前項１３３記載の動力工具。
１４１．  前項記載の手段が、少なくとも一つの可動部材からなり、その可動部材の一部は前記座金本体の輪郭より突き出ていて、当該可動部材を内部セグメントに押し付けると内部セグメントがロッドとより密に接触するになる前項１３３記載の動力工具。
１４２．  ロッドに座金を着脱する際に、前記内部セグメントとロッドとの間の接点が減少するように、前記の可動部材が形成されている前項１４１記載の動力工具。
１４３．  前記の可動部材が前記座金本体の第１支承面より突出し、その第１支承面の上でナットを締め付けると、可動部材が内部セグメントに向かって内側に押し付けられる前項１４１記載の動力工具。
１４４．  前記座金本体が保持力を受ける側面を備え，その側面を越えて前記可動部材を突出させ、保持力を付与した際に、可動部材が内部セグメントに向かって内側に押し付けられる前項１４１記載の動力工具。
１４５．  前記の可動部材が前記座金本体の第２支承面より突出し、ナットを締め付けて座金本体を対象物体に押し付けると、可動部材が内部セグメントに向かって内側に押し付けられる前項１４１記載の動力工具。
１４６．  接点を変化させる手段が少なくとも一つのスプリングを含む前項１３３記載の動力工具。
１４７．  接点を変化させる手段が、座金本体と内部セグメントの間に位置する少なくとも一つのスプリングを備えた前項１３３記載の動力工具。
１４８．  接点を変化させる手段が、座金本体の内周面に設けた少なくとも一つの障害物を備え、前記内周面に関して内部セグメントが前記障害物によって自由に回転できない前項１３３記載の動力工具。
１４９．  接点を変化させる手段が、内部セグメントの軸方向への自由移動を阻止するように形成されている前項１３３記載の動力工具。
１５０．  接点を変化させる手段が、ロッドの伸張に伴って摩擦を増大させるように形成されている前項１３３記載の動力工具。
１５１．  接点を変化させる手段が、ロッドの弛緩に伴って摩擦を減少させるように形成されている前項１３３記載の動力工具。
１５２．  接点を変化させる手段が、接点を変更するための切替装置を含む前項１３３記載の動力工具。
１５３．  接点を変化させる手段が、座金本体と内部セグメントとの間の接続手段を備え、その接続手段が含み、内部セグメントとロッドとの間に摩擦を生じさせる前項１３３記載の動力工具。
１５４．  座金本体の内周面が、その軸に関して非円形状を呈し、内部セグメントがロッドと共に回転しようとすると、内部セグメントが前記非円形内周面とロッドとの間で楔どめとなる前項１３３記載の動力工具。
１５５．  座金本体の内周面が、内部セグメントに対して楔作用を及ぼすことができる形状にあり、ロッドが内部セグメント内で回転しようとし、その結果として、内部セグメントが軸方向に動こうとすると、内部セグメントが座金本体の内周面とロッドとの間で楔どめとなる前項１３３記載の動力工具。
１５６．  座金本体の内周面が、内部セグメントを座金本体に関して回転させないように形成されている前項１３３記載の動力工具。
１５７．  内部セグメントが、座金本体の内周面とロッドとに当接するようスプリングで付勢されている前項１３３記載の動力工具。
１５８．  接点を変化させる手段が、手動で係合可能な前項１３３記載の動力工具。
１５９．  接点を変化させる手段が、内部セグメントを座金本体に関して回転させないように形成されている前項１３３記載の動力工具。
１６０．  接点を変化させる手段が、内部セグメントとの間で摩擦が生ずるように形成されている前項１３３記載の動力工具。
１６１．  内部セグメントとロッドとの接点を変化させる手段が、内部セグメントをロッドに押し付けて両者を楔どめできるよう形成されている前項１３３記載の動力工具。
１６２．  可動部材が内部セグメントに押し付けられるとこれに力を及ぼしてロッドの間に摩擦を増大させ、ナットが弛められるとロッドとの摩擦を減少させるように配置され、しかも、その可動部材が座金本体の輪郭より突出して座金本体の手による取り外しを可能にする前項１３３記載の動力工具。
１６３．  座金本体が、ナットに回転力を与える工具からの保持力を受ける面を具備している前項１３３記載の動力工具。
１６４．  座金本体の第２支承面が、大きな摩擦抵抗を有している前項１３３記載の動力工具。
１６５．  座金本体の第１支承面の摩擦抵抗が、第２支承面のそれにより小さい前項１３３記載の動力工具。
【図面の簡単な説明】
【００３９】
【図１ａ】本発明に係る座金の平面図。
【図１ｂ】本発明に係る座金の断面図。
【図２ａ】本発明の別の態様に係る座金の平面図。
【図２ｂ】本発明の別の態様に係る座金の断面図。
【図３】本発明に係る座金を備えた締め具。
【図３ａ】本発明の別の態様に係る座金を備えた締め具。
【図４】本発明に係る締め具に適用される動力工具と締め付け方法の説明図。
【図５】本発明の別の態様に係る座金の断面図。
【図６】本発明のさらに別の態様に係る座金の平面図。
【図７】本発明のさらに別の態様に座金の平面図。
【図８】図７に示す座金の断面図。
【図９】本発明のさらに別の態様に係る座金の平面図。
【図１０】図９に示す座金の断面図。
【図１１】本発明のさらに別の態様に係る座金の平面図。
【図１２】図１１に示す座金の断面図。
【図１３】本発明のさらに別の態様に係る座金の断面図。
【図１４】本発明のさらに別の態様に係る座金の平面図。
【図１５】本発明のさらに別の態様に係る座金の断面図。
【符号の説明】
【００４０】
１：座金                            ２：座金本体
３：第１支承面（上支承面）          ４：第２支承面（下支承面）
５：座金本体内周面                  ６：内部セグメント
９：ロッド                          １０：ロッドの一端
１１：ロッドの他端（ネジ付き）      １２：ロッドのネジ
１３：ナット                        １４：可動部材
２０：工具の駆動部                  ２１：工具のハウジング
２２：不動ソケット                  ２３：可動ソケット